(57)【特許請求の範囲】
【請求項１】
複数の段からなるシフトレジスタであって、前記シフトレジスタの各段は、
外部から制御端子に供給される第１または第２の信号によってオンし、前の段から電流路の一端に供給された所定レベルの信号を電流路の他端に出力する第１のトランジスタと、
制御端子と前記第１のトランジスタの電流路の他端との間の容量に蓄積された電荷によってオンし、負荷を介して電流路の一端に供給される信号を電流路の他端から放出する第２のトランジスタと、
制御端子と前記第１のトランジスタの電流路の他端との間の容量に蓄積された電荷によってオンし、外部から電流路の一端に供給される第３または第４の信号を出力信号として電流路の他端から出力する第３のトランジスタと、
前記第２のトランジスタがオフしているときに負荷を介して制御端子に供給される信号によってオンし、外部から電流路の一端に供給される信号を出力信号として電流路の他端から出力する第４のトランジスタと、
他の段から所定レベルの出力信号が制御端子に供給されることによってオンし、前記第１のトランジスタの電流路の他端と前記第２、第３のトランジスタの制御端子との間に形成された容量に蓄積された電荷を排出させる第５のトランジスタと、
後段から電流路の一端に供給される所定レベルの信号を、前記第１または第２の信号に応じて電流路の他端から当該段の前記第５のトランジスタの制御端子に出力する順方向制御用トランジスタと、
前段から電流路の一端に供給される所定レベルの信号を、逆方向動作用信号に応じて電流路の他端から当該段の前記第５のトランジスタの制御端子に出力する逆方向制御用トランジスタと、
を備えることを特徴とするシフトレジスタ。
【請求項２】
前記シフトレジスタの各段は、制御端子に供給される第３または第４の信号のレベルを反転した信号によってオンし、前記第３のトランジスタの電流路の他端から出力された出力信号を放出させる第６のトランジスタをさらに備える
ことを特徴とする請求項１に記載のシフトレジスタ。
【請求項３】
前記シフトレジスタのうち少なくとも１つの段は、外部から制御端子に供給される逆方向動作用信号によってオンし、後段から電流路の一端に供給された所定レベルの信号を電流路の他端に出力し、前記第１のトランジスタの電流路の他端と前記第２、第３のトランジスタの制御端子との間の容量に電荷を蓄積させる第７のトランジスタをさらに備える
ことを特徴とする請求項１または２に記載のシフトレジスタ。
【請求項４】
後段から前記第７のトランジスタの電流路の一端に供給される所定レベルの信号は、前記後段の出力信号であることを特徴とする請求項３に記載のシフトレジスタ。
【請求項５】
前記シフトレジスタの奇数番目の段には、第３、第４の信号のうちの第３の信号が外部から供給され、
前記シフトレジスタの偶数番目の段には、第３、第４の信号のうちの第４の信号が外部から供給され、
第３、第４の信号はそれぞれ、前記シフトレジスタの出力信号をシフトしていくタイムスロットのうちの所定期間、タイムスロット毎に交互に駆動レベルとなる
ことを特徴とする請求項１乃至４のいずれか１項に記載のシフトレジスタ。
【請求項６】
前記第１、第２の信号は、それぞれ前記第３、第４の信号が駆動レベルとなっている間の一定期間オンレベルとなる
ことを特徴とする請求項５に記載のシフトレジスタ。
【請求項７】
前記複数の段のそれぞれを構成する各トランジスタは、同一のチャネル型の電界効果トランジスタである
ことを特徴とする請求項１乃至６のいずれか１項に記載のシフトレジスタ。
【請求項８】
複数の段からなり、出力信号をシフトさせることによって所定レベルの信号を各段から順次出力するドライバと、複数の画素によって構成され、前記ドライバの各段から出力された出力信号によって駆動される駆動素子とを備え、
前記ドライバの各段は、
外部から制御端子に供給される第１または第２の信号によってオンし、前の段から電流路の一端に供給された所定レベルの信号を電流路の他端に出力する第１のトランジスタと、
制御端子と前記第１のトランジスタの電流路の他端との間の容量に蓄積された電荷によってオンし、負荷を介して電流路の一端に供給される信号を電流路の他端から放出する第２のトランジスタと、
制御端子と前記第１のトランジスタの電流路の他端との間の容量に蓄積された電荷によってオンし、外部から電流路の一端に供給される第３または第４の信号を当該段の出力信号として電流路の他端から出力する第３のトランジスタと、
前記第２のトランジスタがオフしているときに負荷を介して制御端子に供給される信号によってオンし、外部から電流路の一端に供給される定電圧の信号を当該段の出力信号として電流路の他端から出力する第４のトランジスタと、
他の段から所定レベルの出力信号が制御端子に供給されることによってオンし、前記第１のトランジスタの電流路の他端と前記第２、第３のトランジスタの制御端子との間に形成された容量に蓄積された電荷を排出させる第５のトランジスタと、
後段から電流路の一端に供給される所定レベルの信号を、前記第１または第２の信号に応じて電流路の他端から当該段の前記第５のトランジスタの制御端子に出力する順方向制御用トランジスタと、
前段から電流路の一端に供給される所定レベルの信号を、逆方向動作用信号に応じて電流路の他端から当該段の前記第５のトランジスタの制御端子に出力する逆方向制御用トランジスタと、
を備えることを特徴とする電子装置。
【請求項９】
前記ドライバのうち少なくとも１つの段は、外部から制御端子に供給される逆方向動作用信号によってオンし、後段から電流路の一端に供給された所定レベルの信号を電流路の他端に出力し、前記第１のトランジスタの電流路の他端と前記第２、第３のトランジスタの制御端子との間の容量に電荷を蓄積させる第７のトランジスタをさらに備える
ことを特徴とする請求項８に記載の電子装置。
【請求項１０】
前記駆動素子は、撮像素子であることを特徴とする請求項８または９に記載の電子装置。
【請求項１１】
前記撮像素子の各画素は、
励起光によりキャリアを生成する複数の半導体層と、
前記複数の半導体層の各々の両端にそれぞれ設けられたソース、ドレイン電極と、
第１ゲート絶縁膜を介して前記半導体層の一方側に設けられた第１ゲート電極と、
第２ゲート絶縁膜を介して前記半導体層の他方側に設けられた第２ゲート電極と、
を備えることを特徴とする請求項１０に記載の電子装置。
【請求項１２】
前記駆動素子は、液晶表示素子であることを特徴とする請求項８または９に記載の電子装置。
【発明の詳細な説明】
【０００１】
【発明の属する技術分野】
本発明は、撮像素子や表示素子を駆動するためのドライバとして好適なシフトレジスタ、及びこのシフトレジスタを適用した電子装置に関する。
【０００２】
【従来の技術】
マトリクス状に画素が配置された撮像素子や表示素子を線順次で選択して走査するためのドライバには、前段からの出力信号を後段に順次シフトしていくシフトレジスタが広く用いられている。このようなシフトレジスタでは、従来、前段からの出力信号を減衰させることなく後段にシフトしていくことは困難であった。
【０００３】
特に近年における撮像素子や表示素子の高精細化の要請により、このようなシフトレジスタの段数も多くしていく必要が生じている。段数が増えることとなると、後ろの方の段での信号の減衰が激しくなってしまうという問題が生じる。このため、従来、このようなシフトレジスタには、各段からの出力信号を所定レベルまで増幅するバッファを設けるのが通常であった。が、バッファを設けることによって、シフトレジスタが大型化してしまうという問題があった。
【０００４】
ところで、このようなシフトレジスタで出力信号を順次シフトさせるために、シフトタイミングに合わせて、各段に設けられた電界効果トランジスタのゲート電極に制御信号を供給していく方法がある。例えば、電界効果トランジスタとしてｎチャネル型のものを使用した場合には、ハイレベルの制御信号がゲート電極に印加される度に、ゲート絶縁膜に電子が注入される。
【０００５】
電界効果トランジスタは、ゲート絶縁膜に注入された電子が電荷として蓄積されることによって、その閾値電圧特性が正方向に移動していくことが実験的に知られている。従って、ゲート電極に制御信号が頻繁に印加されると、ソース電極とドレイン電極との間に電流が流れにくくなり、シフトレジスタに誤動作が生じてしまうという問題があった。
【０００６】
【発明が解決しようとする課題】
本発明は、出力信号のレベルを減衰させることなく後段にシフトしていくことが可能なシフトレジスタ、及びこのシフトレジスタを適用した電子装置を提供することを目的とする。
【０００７】
本発明は、また、トランジスタの特性変動による誤動作を防ぐことができるシフトレジスタ、及びこのシフトレジスタを適用した電子装置を提供することを目的とする。
【０００８】
【課題を解決するための手段】
上記目的を達成するため、本発明の第１の観点にかかるシフトレジスタは、
複数の段からなり、前記シフトレジスタの各段は、
外部から制御端子に供給される第１または第２の信号によってオンし、前の段から電流路の一端に供給された所定レベルの信号を電流路の他端に出力する第１のトランジスタと、
制御端子と前記第１のトランジスタの電流路の他端との間の容量に蓄積された電荷によってオンし、負荷を介して電流路の一端に供給される信号を電流路の他端から放出する第２のトランジスタと、
制御端子と前記第１のトランジスタの電流路の他端との間の容量に蓄積された電荷によってオンし、外部から電流路の一端に供給される第３または第４の信号を出力信号として電流路の他端から出力する第３のトランジスタと、
前記第２のトランジスタがオフしているときに負荷を介して制御端子に供給される信号によってオンし、外部から電流路の一端に供給される信号を出力信号として電流路の他端から出力する第４のトランジスタと、
他の段から所定レベルの出力信号が制御端子に供給されることによってオンし、前記第１のトランジスタの電流路の他端と前記第２、第３のトランジスタの制御端子との間に形成された容量に蓄積された電荷を排出させる第５のトランジスタと、
後段から電流路の一端に供給される所定レベルの信号を、前記第１または第２の信号に応じて電流路の他端から当該段の前記第５のトランジスタの制御端子に出力する順方向制御用トランジスタと、
前段から電流路の一端に供給される所定レベルの信号を、逆方向動作用信号に応じて電流路の他端から当該段の前記第５のトランジスタの制御端子に出力する逆方向制御用トランジスタと、
を備えることを特徴とする。
【０００９】
上記の第１の観点にかかるシフトレジスタでは、各段に設けた第５のトランジスタの制御端子に他の段から所定レベルの出力信号を供給することによって、前記の容量に蓄積された電荷を排出させることができる。すなわち、継続使用によって第１のトランジスタの閾値特性が変動し、ここから容量に蓄積された電荷を排出できないようになっても、第５のトランジスタを介して電荷を排出することができる。このため、継続使用による第１のトランジスタの閾値特性の変動によって誤動作が生じるのを防ぐことができる。
【００１２】
なお、上記第１の観点にかかるシフトレジスタにおいて、１番目の段では、第１のトランジスタの電流路の一端に供給される信号を外部からの信号または１番後ろの段の出力信号とすることができる。また、上記の第１の観点にかかるシフトレジスタにおいて、第５のトランジスタの制御信号に供給される信号を外部からの信号または１番後ろの段の出力信号とすることができる。
【００１３】
上記第１の観点にかかるシフトレジスタの各段は、制御端子に供給される第３または第４の信号のレベルを反転した信号によってオンし、前記第３のトランジスタの電流路の他端から出力された出力信号を放出させる第６のトランジスタをさらに備えるものとすることができる。
【００１４】
上記第１の観点にかかるシフトレジスタのうち少なくとも１つの段は、外部から制御端子に供給される逆方向動作用信号によってオンし、後段から電流路の一端に供給された所定レベルの信号を電流路の他端に出力し、前記第１のトランジスタの電流路の他端と前記第２、第３のトランジスタの制御端子との間の容量に電荷を蓄積させる第７のトランジスタをさらに備えるものとすることができる。
【００１５】
この場合、第１及び第２の信号、または逆方向動作用信号のいずれかの組を選択して供給するものとすることによって、前記の容量に電荷を蓄積させる出力信号を、前の段のものまたは後ろの段のもののいずれかに選ぶことができる。このため、シフトレジスタの出力信号を順方向と逆方向とのいずれかを選択してシフトさせることができる。なお、１番後ろの段においては、第７のトランジスタの電流路の一端に供給する信号を外部からの信号とすることができる。
【００１６】
ここで、上記第１の観点にかかるシフトレジスタの奇数番目の段には、第３、第４の信号のうちの第３の信号が外部から供給され、偶数番目の段には、第３、第４の信号のうちの第４の信号が外部から供給されるものとすることができる。ここで、第３、第４の信号はそれぞれ、前記シフトレジスタの出力信号をシフトしていくタイムスロットのうちの所定期間、タイムスロット毎に交互に駆動レベルとなるものとすることができる。
【００１７】
この場合において、前記第１、第２の信号は、それぞれ前記第３、第４の信号が駆動レベルとなっている間の一定期間オンレベルとなるものとすることができる。
【００１８】
また、上記第１の観点にかかるシフトレジスタの複数の段のそれぞれを構成する各トランジスタは、同一のチャネル型の電界効果トランジスタであることを好適とする。
【００２１】
上記目的を達成するため、本発明の第２の観点にかかる電子装置は、
複数の段からなり、出力信号をシフトさせることによって所定レベルの信号を各段から順次出力するドライバと、複数の画素によって構成され、前記ドライバの各段から出力された出力信号によって駆動される駆動素子とを備え、
前記ドライバの各段は、
外部から制御端子に供給される第１または第２の信号によってオンし、前の段から電流路の一端に供給された所定レベルの信号を電流路の他端に出力する第１のトランジスタと、
制御端子と前記第１のトランジスタの電流路の他端との間の容量に蓄積された電荷によってオンし、負荷を介して電流路の一端に供給される信号を電流路の他端から放出する第２のトランジスタと、
制御端子と前記第１のトランジスタの電流路の他端との間の容量に蓄積された電荷によってオンし、外部から電流路の一端に供給される第３または第４の信号を当該段の出力信号として電流路の他端から出力する第３のトランジスタと、
前記第２のトランジスタがオフしているときに負荷を介して制御端子に供給される信号によってオンし、外部から電流路の一端に供給される定電圧の信号を当該段の出力信号として電流路の他端から出力する第４のトランジスタと、
他の段から所定レベルの出力信号が制御端子に供給されることによってオンし、前記第１のトランジスタの電流路の他端と前記第２、第３のトランジスタの制御端子との間に形成された容量に蓄積された電荷を排出させる第５のトランジスタと、
後段から電流路の一端に供給される所定レベルの信号を、前記第１または第２の信号に応じて電流路の他端から当該段の前記第５のトランジスタの制御端子に出力する順方向制御用トランジスタと、
前段から電流路の一端に供給される所定レベルの信号を、逆方向動作用信号に応じて電流路の他端から当該段の前記第５のトランジスタの制御端子に出力する逆方向制御用トランジスタと、
を備えることを特徴とする。
【００２３】
上記第２の観点にかかる電子装置において、前記ドライバのうち少なくとも１つの段は、外部から制御端子に供給される逆方向動作用信号によってオンし、後段から電流路の一端に供給された所定レベルの信号を電流路の他端に出力し、前記第１のトランジスタの電流路の他端と前記第２、第３のトランジスタの制御端子との間の容量に電荷を蓄積させる第７のトランジスタをさらに備えるものとすることができる。
【００２４】
【発明の実施の形態】
以下、添付図面を参照して、本発明の実施の形態について説明する。
【００２５】
［第１の実施の形態］
図１は、この実施の形態にかかる撮像装置の構成を示すブロック図である。図示するように、この撮像装置は、画像を撮影する撮像素子１、並びにコントローラからの制御信号に従って撮像素子１を駆動するためのトップゲートドライバ２、ボトムゲートドライバ３及びドレインドライバ４から構成されている。
【００２６】
撮像素子１は、マトリクス状に配置された複数のダブルゲートトランジスタ１０で構成される。ダブルゲートトランジスタ１０は、図２に示すように、ガラス等の基板４１上に形成されたクロムよりなるボトムゲート電極４２と、ボトムゲート電極４２上に形成された窒化シリコンよりなるボトムゲート絶縁膜４３と、ボトムゲート絶縁膜４３上にボトムゲート電極４２と対向して形成されたアモルファスシリコン又はポリシリコンからなる半導体層４４と、半導体層４４上に形成された窒化シリコンからなるブロッキング層４５と、ブロッキング層４５の一端上から半導体層４４上に跨って設けられたｎ型不純物がドープされたアモルファスシリコンまたはポリシリコンからなるｎ型半導体層４６ａと、ブロッキング層４５の他端上から半導体層４４上に跨って設けられたｎ型不純物がドープされたアモルファスシリコンまたはポリシリコンからなるｎ型半導体層４６ｂと、ｎ型半導体層４６ａ、４６ｂ上からボトムゲート絶縁膜４３上にわたって形成されたクロムよりなるドレイン電極４７、ソース電極４８と、ボトムゲート絶縁膜４３上及びソース、ドレイン電極４７、４８上を覆うように形成された窒化シリコンからなるトップゲート絶縁膜４９と、トップゲート絶縁膜４９上に半導体層４４に対向するように形成されたＩＴＯよりなるトップゲート電極５０と、トップゲート絶縁膜４９及びトップゲート電極５０を覆うように形成された窒化シリコンからなる層間絶縁膜５１と、から構成される。
【００２７】
ダブルゲートトランジスタ１０のトップゲート電極５０はトップゲートラインＴＧＬに、ボトムゲート電極４２はボトムゲートラインＢＧＬに、ドレイン電極４７はドレインラインＤＬに、ソース電極４８は接地されたグラウンドラインＧＬにそれぞれ接続されている。撮像素子１を構成するダブルゲートトランジスタ１０の駆動原理については後述する。
【００２８】
トップゲートドライバ２は、撮像素子１のトップゲートラインＴＧＬに接続され、コントローラからの制御信号Ｔｃｎｔに従って、各トップゲートラインＴＧＬに＋１５（Ｖ）または−１５（Ｖ）の信号を出力する。トップゲートドライバ２は、コントローラから供給される信号に従って、＋１５（Ｖ）の信号を各トップゲートラインＴＧＬに順次選択的に出力するシフトレジスタで構成される。トップゲートドライバ２の詳細については後述する。
【００２９】
ボトムゲートドライバ３は、撮像素子１のボトムゲートラインＢＧＬに接続され、コントローラからの制御信号Ｂｃｎｔに従って、各トップゲートラインＴＧＬに＋１０（Ｖ）または０（Ｖ）の信号を出力する。ボトムゲートドライバ３は、コントローラから供給される信号に従って、＋１０（Ｖ）の信号を各ボトムゲートラインＢＧＬに順次選択的に出力するシフトレジスタで構成される。ボトムゲートドライバ３の詳細については後述する。
【００３０】
ドレインドライバ４は、撮像素子１のドレインラインＤＬに接続され、コントローラからの制御信号Ｄｃｎｔに従って、後述する所定の期間において全てのドレインラインＤＬに定電圧（＋１０（Ｖ））を出力し、電荷をプリチャージさせる。ドレインドライバ４は、プリチャージの後の所定の期間においてダブルゲートトランジスタ１０の半導体層４４にチャネルが形成されているか否かによって変化する各ドレインラインＤＬの電位を読み出し、画像データＤＡＴＡとしてコントローラに供給する。
【００３１】
次に、撮像素子１を構成するダブルゲートトランジスタ１０の駆動原理について、図３（ａ）〜（ｆ）の模式図を参照して説明する。
【００３２】
ダブルゲートトランジスタ１０の半導体層４４のチャネル形成領域は、ｎ型半導体層４６ａ、４６ｂ間のブロッキング層４５の下に発生するため、チャネル長はブロッキング層４５のチャネル長方向の長さに等しい。したがって、図３（ａ）に示すように、ボトムゲート電極（ＢＧ）４２に印加されている電圧が０（Ｖ）であるときは、トップゲート電極（ＴＧ）１８に印加されている電圧が＋１５（Ｖ）であっても、チャネルの両端にかかる電界がトップゲート電極（ＴＧ）５０に印加されている電圧でなく、ソース、ドレイン電極４７、４８の電圧になるので半導体層４４にはチャネル長方向に連続したｎチャネルが形成されず、ドレイン電極４６ａ（Ｄ）に＋１０（Ｖ）の電圧が供給されても、ドレイン電極（Ｄ）４６ａとソース電極（Ｓ）４６ｂとの間に電流は流れない。また、この状態では、後述するように半導体層４４及び半導体層４４のチャネル領域直上のブロッキング層４５に蓄積された正孔が同じ極性のトップゲート電極（ＴＧ）５０の電圧により反発し、吐出される。以下、この状態をリセット状態という。
【００３３】
図３（ｂ）に示すように、トップゲート電極（ＴＧ）５０に印加されている電圧が−１５（Ｖ）であり、ボトムゲート電極（ＢＧ）４２に印加されている電圧が０（Ｖ）であるときは、半導体層４４にはｎチャネルが形成されず、ドレイン電極４６ａ（Ｄ）に＋１０（Ｖ）の電圧が供給されても、ドレイン電極（Ｄ）４６ａとソース電極（Ｓ）４６ｂとの間に電流は流れない。
【００３４】
このように、半導体層４４のチャネル領域の両端とトップゲート電極（ＴＧ）５０との間に配置されているドレイン電極（Ｄ）４６ａとソース電極（Ｓ）４６ｂとの電界に影響されるため、トップゲート電極（ＴＧ）５０のみの電界では連続したチャネルを形成することができないので、ボトムゲート電極（ＢＧ）４２に印加されている電圧が０（Ｖ）である場合には、トップゲート電極（ＴＧ）１８に印加されている電圧の如何に関わらず、半導体層４４にｎチャネルが形成されることはない。
【００３５】
図３（ｃ）に示すように、トップゲート電極（ＴＧ）５０に印加されている電圧が＋１５（Ｖ）であり、ボトムゲート電極（ＢＧ）４２に印加されている電圧が＋１０（Ｖ）であるときは、半導体層４４のボトムゲート電極（ＢＧ）４２側にｎチャネルが形成される。これにより、半導体層４４が低抵抗化し、ドレイン電極４６ａに＋１０（Ｖ）の電圧が供給されると、ドレイン電極（Ｄ）４６ａとソース電極（Ｓ）４６ｂとの間に電流が流れる。
【００３６】
図３（ｄ）に示すように、後述するように半導体層４４内に十分な量の正孔が蓄積されず、トップゲート電極（ＴＧ）５０に印加されている電圧が−１５（Ｖ）であると、ボトムゲート電極（ＢＧ）４２に印加されている電圧が＋１０（Ｖ）であっても、半導体層４４の内部に空乏層が広がり、ｎチャネルがピンチオフされて、半導体層４４が高抵抗化する。このため、ドレイン電極４６ａに＋１０（Ｖ）の電圧が供給されても、ドレイン電極（Ｄ）４６ａとソース電極（Ｓ）４６ｂとの間に電流が流れない。以下、この状態を第１の読み出し状態という。
【００３７】
半導体層４４には入射された励起光の光量に応じて正孔−電子対が生じる。このとき図３（ｅ）に示すように、トップゲート電極（ＴＧ）５０に印加されている電圧が−１５（Ｖ）であり、ボトムゲート電極（ＢＧ）４２に印加されている電圧が０（Ｖ）であると、正孔−電子対のうち正極性の正孔が半導体層４４及び半導体層４４のチャネル領域直上のブロッキング層４５に蓄積される。以下、上述したリセット状態となり、後述する読み出し状態となるまでにおけるこの状態をフォトセンス状態という。なお、こうしてトップゲート電極（ＴＧ）５０の電界に応じて半導体層４４内に蓄積された正孔は、リセット状態となるまで半導体層４４から吐出されることはない。
【００３８】
図３（ｆ）に示すように、トップゲート電極（ＴＧ）５０に印加されている電圧が−１５（Ｖ）であり、ボトムゲート電極（ＢＧ）４２に印加されている電圧が＋１０（Ｖ）であるが、半導体層４４内に正孔が蓄積されている場合には、蓄積されている正孔が負電圧の印加されているトップゲート電極５０に引き寄せられて保持され、トップゲート電極５０に印加されている負電圧が半導体層４４に及ぼす影響を緩和する方向に働く。このため、半導体層４４のボトムゲート電極（ＢＧ）４２側にｎチャネルが形成され、半導体層４４が低抵抗化して、ドレイン電極４６ａに＋１０（Ｖ）の電圧が供給されると、ドレイン電極（Ｄ）４６ａとソース電極（Ｓ）４６ｂとの間に電流が流れる。以下、この状態を第２の読み出し状態という。
【００３９】
次に、図１に示すトップゲートドライバ２の詳細について説明する。図４は、トップゲートドライバ２の全体の構成を示すブロック図である。撮像素子１に配されているダブルゲートトランジスタ１０の行数（トップゲートラインＴＧＬの数）をｎとすると、トップゲートドライバ２は、ｎ個の段ＲＳ（１）〜ＲＳ（ｎ）から構成される。但し、図４では、ｎが偶数である場合の構成を示している。
【００４０】
コントローラからの制御信号Ｔｃｎｔとして、奇数番目の段ＲＳ（１），ＲＳ（３），・・・には、信号ＣＫ１、及び信号φ１が供給されている。偶数番目の段ＲＳ（２），ＲＳ（４），・・・には、信号ＣＫ２及び信号φ２が供給されている。各段共に、コントローラから定電圧Ｖｓｓが供給されている。信号ＣＫ１、ＣＫ２のハイレベル（駆動レベル）は＋１５（Ｖ）、ローレベル（非駆動レベル）は−１５（Ｖ）である。また、定電圧Ｖｓｓのレベルは−１５（Ｖ）である。
【００４１】
また、１番目の段ＲＳ（１）には、コントローラからスタート信号ＩＮが供給される。スタート信号ＩＮのハイレベル（オンレベル）は＋１５（Ｖ）、ローレベル（オフレベル）は−１５（Ｖ）である。２番目以降の段ＲＳ（２）〜ＲＳ（ｎ）には、それぞれの前段ＲＳ（１）〜ＲＳ（ｎ−１）からの出力信号ＯＵＴ１〜ＯＵＴｎ−１が供給される。さらに、各段ＲＳ（ｋ）（ｋ：１〜ｎの整数）には、後ろの段ＲＳ（ｋ＋１）〜の出力信号ＯＵＴｋ＋１（但し、最終段ＲＳ（ｎ）の場合は１番目の段ＲＳ（１）の出力信号ＯＵＴ１）がリセットパルスとして供給される。なお、各段ＲＳ（１）〜ＲＳ（ｎ）の出力信号ＯＵＴ１〜ＯＵＴｎは、撮像素子１のトップゲートラインＴＧＬにそれぞれ出力される。
【００４２】
図５は、トップゲートドライバ２の各段ＲＳ（１）〜ＲＳ（ｎ）の回路構成を示す図である。図示するように、各段ＲＳ（１）〜ＲＳ（ｎ）は、基本構成として６つのＴＦＴ（Thin Film Transistor）２１、２２、２３、２５、２６、３１を有している。ＴＦＴ２１〜２３、２５、２６、３１は、いずれもｎチャネルＭＯＳ型の電界効果トランジスタで構成され、ゲート絶縁膜に窒化シリコンを用い、半導体層にアモルファスシリコンを用いている。
【００４３】
各段ＲＳ（ｋ）のＴＦＴ２１のドレイン電極は互いに前段ＲＳ（ｋ−１）のＴＦＴ２５のソース電極に接続され、ＴＦＴ２１のソース電極は、ＴＦＴ２２のゲート電極、ＴＦＴ２５のゲート電極及びＴＦＴ３１のドレイン電極に接続されている。奇数段、偶数段のＴＦＴ２１のゲート電極には、それぞれ信号φ１、φ２が適宜入力される。ＴＦＴ２２のドレイン電極は、ＴＦＴ２３のソース電極及びＴＦＴ２６のゲート電極に接続され、ＴＦＴ２２のソース電極及びＴＦＴ３１のソース電極には定電圧Ｖｓｓが供給されている。そして、ＴＦＴ２３のゲート電極及びドレイン電極には基準電圧Ｖｄｄが供給され、奇数段のＴＦＴ２５のドレイン電極には信号ＣＫ１が供給され、偶数段のＴＦＴ２５のドレイン電極には信号ＣＫ２が供給され、各段のＴＦＴ２５のソース電極はＴＦＴ２６のドレイン電極に接続され、ＴＦＴ２６のソース電極には定電圧Ｖｓｓが供給されている。ＴＦＴ３１のゲート電極には、次段の出力信号ＯＵＴｋ＋１が入力される。尚ＴＦＴ２３は、薄膜トランジスタ以外の抵抗素子であってもよい。ここで、１段目以外の奇数番目の段ＲＳ（ｋ）を例として、各段ＲＳ（１）〜ＲＳ（ｎ）の機能を説明する。
【００４４】
ＴＦＴ２１のゲート電極には、コントローラからの信号φ１が供給される。ＴＦＴ２１のドレイン電極には、前の段ＲＳ（ｋ−１）からの出力信号ＯＵＴｋ−１が供給される。ＴＦＴ２１は、ハイレベル（オンレベル）の信号φ１が供給されたときにオンし、出力信号ＯＵＴｋ−１によりドレイン電極とソース電極との間に電流が流れることによって、ＴＦＴ２１のソース電極とＴＦＴ２２、２５のゲート電極との間の配線にそれぞれ形成されている配線容量Ｃ２、Ｃ５に電荷をチャージさせる。配線容量Ｃ２、Ｃ５は、金属配線及びゲート絶縁膜等により構成される。
【００４５】
ＴＦＴ２３のゲート電極とドレイン電極とには、基準電圧Ｖｄｄが供給されている。これにより、ＴＦＴ２３は、常にオン状態となっている。ＴＦＴ２３は、基準電圧Ｖｄｄを分圧する負荷としての機能を有する。
【００４６】
ＴＦＴ２２は、配線容量Ｃ２に電荷がチャージされていないときにオフ状態となり、ＴＦＴ２３を介して供給された基準電圧Ｖｄｄにより配線容量Ｃ６に電荷をチャージさせる。また、ＴＦＴ２２は、配線容量Ｃ２に電荷がチャージされているときにオン状態となり、ドレイン電極とソース電極との間に貫通電流を流させる。ここで、ＴＦＴ２２、２３は、いわゆるＥＥ型の構成となっているため、ＴＦＴ２３が完全なオフ抵抗とならないことで配線容量Ｃ６に蓄積された電荷が完全にディスチャージされないことがあるが、ＴＦＴ２６の閾値電圧よりも十分に低い電圧となる。
【００４７】
ＴＦＴ２５のドレイン電極には、信号ＣＫ１が供給される。ＴＦＴ２５は、配線容量Ｃ５に電荷がチャージされているとき（すなわち、ＴＦＴ２６がオフ状態のとき）にオン状態となり、入力された信号ＣＫ１によりゲート電極とソース電極と並びにそれらの間のゲート絶縁膜からなる寄生容量へのチャージアップや、ゲート電極とドレイン電極と並びにそれらの間のゲート絶縁膜による寄生容量がオン電流によりチャージアップされることにより配線容量Ｃ５の電位が上昇しゲート飽和電圧にまで達するとソース−ドレイン電流が飽和するので、出力信号ＯＵＴｋは、実質的に信号ＣＫ１とほぼ同電位となる。ＴＦＴ２５は、また、配線容量Ｃ５に電荷がチャージされていないとき（すなわち、ＴＦＴ２６がオン状態のとき）にオフ状態となり、ドレイン電極に供給された信号ＣＫ１の出力を遮断する。
【００４８】
ＴＦＴ２６のドレイン電極には、定電圧Ｖｓｓが供給される。ＴＦＴ２６は、配線容量Ｃ６に電荷がチャージされていないとき（すなわち、ＴＦＴ２５がオン状態のとき）にオフ状態となり、ＴＦＴ２５のソース電極から出力された信号のレベルを当該段の出力信号ＯＵＴｋとして出力させる。ＴＦＴ２６は、また、配線容量Ｃ６に電荷がチャージされているとき（すなわち、ＴＦＴ２５がオフ状態のとき）にオン状態となり、ドレイン電極に供給された定電圧Ｖｓｓのレベルをソース電極から当該段の出力信号ＯＵＴｋとして出力させる。
【００４９】
ＴＦＴ３１のゲート電極には、後ろの段ＲＳ（ｋ＋１）の出力信号ＯＵＴｋ＋１が供給される。ＴＦＴ３１は、ゲート電極に供給される出力信号ＯＵＴｋ＋１がハイレベルになったときにオンし、配線容量Ｃ２、Ｃ５に蓄積された電荷をディスチャージさせる。
【００５０】
なお、偶数番目の段ＲＳ（ｋ）においては、ＴＦＴ２１のゲート電極に信号φ２が、信号φ１の代わりにコントローラから供給される。ＴＦＴ２５のドレイン電極に信号ＣＫ２が、信号ＣＫ１の代わりにコントローラから供給される。また、１番目の段ＲＳ（１）においては、ＴＦＴ２１のドレイン電極にスタート信号ＩＮが、前の段の出力信号の代わりにコントローラから供給される。最後の段ＲＳ（ｎ）においては、ＴＦＴ３１のゲート電極に１番目の段ＲＳ（１）の出力信号ＯＵＴ１が、供給される。
【００５１】
次に、図１に示すボトムゲートドライバ３の詳細について説明すると、ボトムゲートドライバ３は、全体の構成及び各段の構成共に、トップゲートドライバ２の構成と同じである。但し、ボトムゲートドライバ３は、定電圧Ｖｓｓ（−１５（Ｖ））の代わりに定電圧Ｖｓｓ（０（Ｖ））がコントローラから供給される。信号ＣＫ１、ＣＫ２のハイレベル（駆動レベル）は１０（Ｖ）であり、ローレベル（非駆動レベル）は、定電圧Ｖｓｓのレベルと同じ０（Ｖ）である。また、制御信号Ｂｃｎｔに含まれる各信号のコントローラからの供給タイミングが、制御信号Ｔｃｎｔに含まれる各信号の供給タイミングと異なる。
【００５２】
以下、この実施の形態にかかる撮像装置の動作について説明する。最初に、トップゲートドライバ２及びボトムゲートドライバ３の動作について説明する。なお、トップゲートドライバ２とボトムゲートドライバ３とは、実質的には信号の入力タイミングと定電圧Ｖｓｓのレベルが異なり、これに合わせて出力信号の出力タイミングとレベルとが異なるだけなので、ボトムゲートドライバ３については、トップゲートドライバ２と異なる部分だけを説明することとする。
【００５３】
図６は、トップゲートドライバ２（またはボトムゲートドライバ３）の動作を示すタイミングチャートである。１垂直期間が開始したタイミングｔｎにおいて、コントローラから１番目の段ＲＳ（１）に供給されるスタート信号ＩＮが立ち上がる。スタート信号ＩＮは、１水平期間が終了するタイミングｔ１までの所定期間においてハイレベルとなっている。
【００５４】
タイミングｔｎからｔ１までの間の所定期間、ハイレベルのスタート信号ＩＮがコントローラから１番目の段ＲＳ（１）のＴＦＴ２１のドレイン電極に供給される。この間において、信号φ１が立ち上がると、奇数番目の段ＲＳ（１），ＲＳ（３），・・・のＴＦＴ２１がオンする。これにより、１番目の段ＲＳ（２）のＴＦＴ２１のドレイン電極とソース電極との間に電流が流れることで、１番目の段ＲＳ（１）の配線容量Ｃ２、Ｃ５に電荷がチャージされる。そして、配線容量Ｃ２、Ｃ５の電位がハイレベルとなることで、ＴＦＴ２２、２５がそれぞれオンする。
【００５５】
ＴＦＴ２２がオンするまで、１番目の段ＲＳ（１）の配線容量Ｃ６は、ＴＦＴ２３を介して供給される基準電圧Ｖｄｄによって電荷が蓄積されてハイレベルとなっている。ここで、ＴＦＴ２２がオンしたことによって、配線容量Ｃ６に蓄積されている電荷がディスチャージされる。これにより、１番目の段ＲＳ（１）のＴＦＴ２６は、ゲート電極の電位がローレベルとなってオフする。また、ハイレベルのスタート信号ＩＮが供給されている期間は信号ＣＫ２がハイレベルとなっているため、連続して駆動している場合は、ｎ番目の段ＲＳ（ｎ）のＴＦＴ２５から出力信号ＯＵＴｎが出力される。
【００５６】
次に、タイミングｔ１からｔ２までの所定期間、信号ＣＫ１がハイレベルとなる。このとき、１番目の段ＲＳ（１）においては、ＴＦＴ２５がオン、ＴＦＴ２６がオフとなることから、ＴＦＴ２５のソース電極から、ほぼ信号ＣＫ１のハイレベルが出力信号ＯＵＴ１として出力される。
【００５７】
また、タイミングｔ１からｔ２までの所定期間、１番目の段ＲＳ（１）から出力されているハイレベルの出力信号ＯＵＴ１は、２番目の段ＲＳ（２）のＴＦＴ２１のドレイン電極に供給され、ゲート電極には、ハイレベル（オンレベル）の信号φ２が供給されている。これにより、１番目の段ＲＳ（１）にハイレベルのスタート信号ＩＮ、ハイレベルの信号φ１が供給された場合と同様に、２番目の段ＲＳ（２）の配線容量Ｃ２、Ｃ５に電荷がチャージされる。タイミングｔ１からｔ２までの所定期間、２番目の段ＲＳ（２）においては、ＴＦＴ２５がオン、ＴＦＴ２６がオフとなるが、ＴＦＴ２５のドレイン電極に供給されている信号ＣＫ２がローレベルであるため、ほぼ信号ＣＫ２のローレベルが出力信号ＯＵＴ２として出力される。
【００５８】
また同時にハイレベルの出力信号ＯＵＴ１は、ｎ番目の段ＲＳ（ｎ）のＴＦＴ３１のゲート電極に供給されているので、前の垂直期間においてｎ番目の段ＲＳ（ｎ）の配線容量Ｃ２、Ｃ５に蓄積された電荷がＴＦＴ３１を介してディスチャージされ、定電圧Ｖｓｓとなる。このためｎ番目の段ＲＳ（ｎ）のＴＦＴ２１が再びオンするまでの間、ｎ番目の段ＲＳ（ｎ）の配線容量Ｃ２、Ｃ５がフローティング状態になることがなく安定して駆動することができる。こうして３〜ｎ番目の段ＲＳ（３）〜ＲＳ（ｎ）では、タイミングｔ１からｔ２までの間、配線容量Ｃ２、Ｃ５の電位がローレベルとなり、ＴＦＴ２２、２５がオフ状態となる。配線容量Ｃ６の電位がハイレベルとなり、ＴＦＴ２６がオン状態となる。これにより、３〜ｎ番目の段ＲＳ（３）〜ＲＳ（ｎ）においては、ほぼ定電圧Ｖｓｓのレベルが出力信号ＯＵＴ３〜ＯＵＴｎとしてそれぞれ出力される。
【００５９】
次に、タイミングｔ２からｔ３までの所定期間、信号ＣＫ２がハイレベルとなる。タイミングｔ２からｔ３までの間においては、タイミングｔ１からｔ２の間における段ＲＳ（１）、ＲＳ（２）、ＲＳ（ｎ）をそれぞれ段ＲＳ（２）、ＲＳ（３）、ＲＳ（１）に、信号ＣＫ１、ＣＫ２をそれぞれ信号ＣＫ２、ＣＫ１に、信号φ２を信号φ１に置き換えると、各段ＲＳ（１）〜ＲＳ（ｎ）はタイミングｔ１からｔ２までの間と同様に動作することとなる。すなわち、タイミングｔ２からｔ３までの間においては、２番目の段ＲＳ（２）からの出力信号ＯＵＴ２が所定期間ハイレベルとなり、それ以外の段ＲＳ（１）、ＲＳ（３）〜ＲＳ（ｎ）からの出力信号ＯＵＴ１、ＯＵＴ３〜ＯＵＴｎがローレベルとなる。
【００６０】
また、１垂直期間中、１番目の段ＲＳ（１）のＴＦＴ２１のゲート電極には、ハイレベルの信号φ１が段数ｎの半分の数だけ入力されるため、駆動する頻度が高くなるとＴＦＴ２１のしきい値ゲート電圧が正側にシフトすることがあるが、ＴＦＴ２１を用いずとも２番目の段ＲＳ（２）からのハイレベルの出力信号ＯＵＴ２が、１番目の段ＲＳ（１）のＴＦＴ３１のゲート電極へ出力され、１番目の段ＲＳ（１）の配線容量Ｃ２、Ｃ５の電位を定電圧Ｖｓｓまでディスチャージすることができる。ここで出力信号ＯＵＴ２は１垂直期間中に１度しかハイレベルにならないため、ＴＦＴ３１のゲート絶縁膜及び半導体層には、ＴＦＴ３１のしきい値ゲート電圧に大きな影響を及ぼす程度に電子が蓄積され続けることはないため、ＴＦＴ３１はＴＦＴ２１よりも電荷排出能力に優れている。したがって、１番目の段ＲＳ（１）のＴＦＴ２１が再びオンするまでの間、１番目の段ＲＳ（１）の配線容量Ｃ２、Ｃ５がフローティング状態になることがなく安定して駆動することができる。
【００６１】
また、タイミングｔ３からｔ４までの間においては、タイミングｔ１からｔ２までの間における段ＲＳ（１）、ＲＳ（２）、ＲＳ（ｎ）をそれぞれ段ＲＳ（３）、ＲＳ（４）、ＲＳ（２）に置き換えると、各段ＲＳ（１）〜ＲＳ（ｎ）はタイミングｔ１からｔ２までの間と同様に動作することとなる。すなわち、タイミングｔ３からｔ４までの間においては、３番目の段ＲＳ（３）からの出力信号ＯＵＴ３が所定期間ハイレベルとなり、それ以外の段ＲＳ（１）、ＲＳ（２）、ＲＳ（４）〜ＲＳ（ｎ）からの出力信号ＯＵＴ１、ＯＵＴ２、ＯＵＴ４〜ＯＵＴｎがローレベルとなる。
【００６２】
また、３番目の段ＲＳ（３）からのハイレベルの出力信号ＯＵＴ３は、２番目の段ＲＳ（２）のＴＦＴ３１のゲート電極へ出力され、２番目の段ＲＳ（２）の配線容量Ｃ２、Ｃ５の電位を定電圧Ｖｓｓにする。このため２番目の段ＲＳ（２）のＴＦＴ２１が再びオンするまでの間、２番目の段ＲＳ（２）の配線容量Ｃ２、Ｃ５がフローティング状態になることがなく安定して駆動することができる。
【００６３】
以下同様に、タイミングｔｎ−１からｔｎまでの所定期間においては、ｎ−１番目の段ＲＳ（ｎ−１）のＴＦＴ２５からハイレベルの出力信号ＯＵＴｎ−１が出力され、タイミングｔｎからｔ１の所定期間にｎ番目の段ＲＳ（ｎ）のＴＦＴ２５からハイレベルの出力信号ＯＵＴｎが出力される。したがって、タイミングｔ１から次のタイミングｔ１までの間が１垂直期間となって、ハイレベルの出力信号ＯＵＴ１からＯＵＴｎを順次出力する。
【００６４】
なお、図６のタイミングチャートにおいて、トップゲートドライバ２として適用した場合には、コントローラからの信号ＣＫ１、ＣＫ２がハイレベルとなっている所定期間は、１水平期間の全体であっても、１水平期間の一部でもよい。すなわち、トップゲートドライバ２では、後述するようにリセット電圧を１Ｔの期間出力してもよく、また１Ｔ未満の間出力してもよい。一方、ボトムゲートドライバ３として適用した場合には、コントローラからの信号ＣＫ１、ＣＫ２がハイレベルとなっている所定期間は、１水平期間のうちの前半半分である。すなわち、ボトムゲートドライバ３では、ハイレベルの出力信号ＯＵＴｋとハイレベルの出力信号ＯＵＴｋ＋１との間に、後述するようにドレインラインＤＬにプリチャージ電圧を供給する期間がある。
【００６５】
また、信号ＣＫ１、ＣＫ２のローレベル、定電圧Ｖｓｓのレベルの違いにより、各段ＲＳ（１）〜ＲＳ（ｎ）から出力される出力信号ＯＵＴ１〜ＯＵＴｎのローレベルは、トップゲートドライバ２として適用した場合は−１５（Ｖ）、ボトムゲートドライバ３として適用した場合は０（Ｖ）である。さらに、信号ＣＫ１、ＣＫ２のハイレベルの違いにより、各段ＲＳ（１）〜ＲＳ（ｎ）から出力される出力信号ＯＵＴ１〜ＯＵＴｎのハイレベルは、トップゲートドライバ２として適用した場合は＋１５（Ｖ）、ボトムゲートドライバ３として適用した場合は＋１０（Ｖ）である。
【００６６】
次に、撮像素子１を駆動して画像を撮影するための全体の動作について、図７（ａ）〜（ｉ）に示す模式図を参照して説明する。なお、以下の説明において、１Ｔの期間は、１水平期間と同じ長さを有するものとする。また、説明を簡単にするため、撮像素子１に配置されているダブルゲートトランジスタ１０のうち、最初の３行のみを考えることとする。
【００６７】
まず、タイミングＴ１からＴ２までの１Ｔの期間において、図７（ａ）に示すように、トップゲートドライバ２は、１行目のトップゲートラインＴＧＬを選択して＋１５（Ｖ）を出力し、２、３行目（他の全行）のトップゲートラインＴＧＬに−１５（Ｖ）を出力する。一方、ボトムゲートドライバ３は、すべてのボトムゲートラインＢＧＬに０（Ｖ）を出力する。この期間において、１行目のダブルゲートトランジスタ１０がリセット状態となり、２、３行目のダブルゲートトランジスタ１０が前の垂直期間での読み出し状態を終了した状態（フォトセンスに影響しない状態）となる。
【００６８】
次に、タイミングＴ２からＴ３までの１Ｔの期間において、図７（ｂ）に示すように、トップゲートドライバ２は、２行目のトップゲートラインＴＧＬを選択して＋１５（Ｖ）を出力し、他のトップゲートラインＴＧＬに−１５（Ｖ）を出力する。一方、ボトムゲートドライバ３は、すべてのボトムゲートラインＢＧＬに０（Ｖ）を出力する。この期間において、１行目のダブルゲートトランジスタ１０がフォトセンス状態となり、２行目のダブルゲートトランジスタ１０がリセット状態となり、３行目のダブルゲートトランジスタ１０が前の垂直期間での読み出し状態を終了した状態（フォトセンスに影響しない状態）となる。
【００６９】
次に、タイミングＴ３からＴ４までの１Ｔの期間において、図７（ｃ）に示すように、トップゲートドライバ２は、３行目のトップゲートラインＴＧＬを選択して＋１５（Ｖ）を出力し、他のトップゲートラインＴＧＬに−１５（Ｖ）を出力する。一方、ボトムゲートドライバ３は、すべてのボトムゲートラインＢＧＬに０（Ｖ）を出力する。この期間において、１、２行目のダブルゲートトランジスタがフォトセンス状態となり、３行目のダブルゲートトランジスタ１０がリセット状態となる。
【００７０】
次に、タイミングＴ４からＴ４．５までの０．５Ｔの期間において、図７（ｄ）に示すように、トップゲートドライバ２は、すべてのトップゲートラインＴＧＬに−１５（Ｖ）を出力する。一方、ボトムゲートドライバ３は、すべてのボトムゲートラインＢＧＬに０（Ｖ）を出力する。また、ドレインドライバ４は、すべてのドレインラインＤＬに＋１０（Ｖ）を出力する。この期間において、すべての行のダブルゲートトランジスタ１０がフォトセンス状態となる。
【００７１】
次に、タイミングＴ４．５からＴ５までの０．５Ｔの期間において、図７（ｅ）に示すように、トップゲートドライバ２は、すべてのトップゲートラインＴＧＬに−１５（Ｖ）を出力する。一方、ボトムゲートドライバ３は、１行目のボトムゲートラインＢＧＬを選択して＋１０（Ｖ）を出力し、他のボトムゲートラインＢＧＬに０（Ｖ）を出力する。この期間において、１行目のダブルゲートトランジスタ１０が第１または第２の読み出し状態となり、２、３行目のダブルゲートトランジスタ１０がフォトセンス状態のままとなる。
【００７２】
ここで、１行目のダブルゲートトランジスタ１０は、フォトセンス状態となっていたタイミングＴ２からＴ４．５までの期間で十分な光が半導体層に照射されていると、第２の読み出し状態となって半導体層内にｎチャネルが形成されるため、対応するドレインラインＤＬ上の電荷がディスチャージされる。一方、タイミングＴ２からＴ４．５までの期間で十分な光が半導体層に照射されていないと、第１の読み出し状態となって半導体層内のｎチャネルがピンチオフされるため、対応するドレインラインＤＬ上の電荷はディスチャージされない。データドライバ４は、タイミングＴ４．５からＴ５までの期間で各ドレインラインＤＬ上の電位を読み出し、１行目のダブルゲートトランジスタ１０が検出した画像データＤＡＴＡとしてコントローラに供給する。
【００７３】
次に、タイミングＴ５からＴ５．５までの０．５Ｔの期間において、図７（ｆ）に示すように、トップゲートドライバ２は、すべてのトップゲートラインＴＧＬに−１５（Ｖ）を出力する。一方、ボトムゲートドライバ３は、すべてのボトムゲートラインＢＧＬに０（Ｖ）を出力する。また、ドレインドライバ４は、すべてのドレインラインＤＬに＋１０（Ｖ）を出力する。この期間において、１行目のダブルゲートトランジスタ１０が読み出しを終了した状態となり、２、３行目のダブルゲートトランジスタ１０がフォトセンス状態となる。
【００７４】
次に、タイミングＴ５．５からＴ６までの０．５Ｔの期間において、図７（ｇ）に示すように、トップゲートドライバ２は、すべてのトップゲートラインＴＧＬに−１５（Ｖ）を出力する。一方、ボトムゲートドライバ３は、２行目のボトムゲートラインＢＧＬを選択して＋１０（Ｖ）を出力し、他のボトムゲートラインＢＧＬに０（Ｖ）を出力する。この期間において、１行目のダブルゲートトランジスタ１０が読み出しを終了した状態となり、２行目のダブルゲートトランジスタ１０が第１または第２の読み出し状態となり、３行目のダブルゲートトランジスタ１０がフォトセンス状態となる。
【００７５】
ここで、２行目のダブルゲートトランジスタ１０は、フォトセンス状態となっていたタイミングＴ３からＴ５．５までの期間で十分な光が半導体層に照射されていると、第２の読み出し状態となって半導体層内にｎチャネルが形成されるため、対応するドレインラインＤＬ上の電荷がディスチャージされる。一方、タイミングＴ３からＴ５．５までの期間で十分な光が半導体層に照射されていないと、第１の読み出し状態となって半導体層内のｎチャネルがピンチオフされるため、対応するドレインラインＤＬ上の電荷はディスチャージされない。データドライバ４は、タイミングＴ５．５からＴ６までの期間で各ドレインラインＤＬ上の電位を読み出し、２行目のダブルゲートトランジスタ１０が検出した画像データＤＡＴＡとしてコントローラに供給する。
【００７６】
次に、タイミングＴ６からＴ６．５までの０．５Ｔの期間において、図７（ｈ）に示すように、トップゲートドライバ２は、すべてのトップゲートラインＴＧＬに−１５（Ｖ）を出力する。一方、ボトムゲートドライバ３は、すべてのボトムゲートラインＢＧＬに０（Ｖ）を出力する。また、ドレインドライバ４は、すべてのドレインラインＤＬに＋１０（Ｖ）を出力する。この期間において、１、２行目のダブルゲートトランジスタ１０が読み出しを終了した状態となり、３行目のダブルゲートトランジスタ１０がフォトセンス状態となる。
【００７７】
次に、タイミングＴ６．５からＴ７までの０．５Ｔの期間において、図７（ｉ）に示すように、トップゲートドライバ２は、すべてのトップゲートラインＴＧＬに−１５（Ｖ）を出力する。一方、ボトムゲートドライバ３は、３行目のボトムゲートラインＢＧＬを選択して＋１０（Ｖ）を出力し、他のボトムゲートラインＢＧＬに０（Ｖ）を出力する。この期間において、１、２行目のダブルゲートトランジスタ１０が読み出しを終了した状態となり、３行目のダブルゲートトランジスタ１０が第１または第２の読み出し状態となる。
【００７８】
ここで、３行目のダブルゲートトランジスタ１０は、フォトセンス状態となっていたタイミングＴ４からＴ６．５までの期間で十分な光が半導体層に照射されていると、第２の読み出し状態となって半導体層内にｎチャネルが形成されるため、対応するドレインラインＤＬ上の電荷がディスチャージされる。一方、タイミングＴ４からＴ６．５までの期間で十分な光が半導体層に照射されていないと、第１の読み出し状態となって半導体層内のｎチャネルがピンチオフされるため、対応するドレインラインＤＬ上の電荷はディスチャージされない。データドライバ４は、タイミングＴ６．５からＴ７までの期間で各ドレインラインＤＬ上の電位を読み出し、３行目のダブルゲートトランジスタ１０が検出した画像データＤＡＴＡとしてコントローラに供給する。
【００７９】
こうしてドレインドライバ４から行毎に供給された画像データＤＡＴＡに対して、コントローラが所定の処理を行うことで、撮像対象物の画像データが生成される。
【００８０】
なお、フォトセンス時以外、例えば読み出し後でも、ダブルゲートトランジスタ１０は、トップゲート電極５０に−１５（Ｖ）、ボトムゲート電極４２に０（Ｖ）が印加され、励起光に応じて半導体層４４内に電子−正孔対が発生する。が、読み出し後に蓄積されたキャリアをリセットにより吐出してからフォトセンスを開始するので、フォトセンス時にダブルゲートトランジスタ１０の半導体層４４で発生した電子−正孔対は、所定期間中の光入射によるものであり、高い精度で撮像することができる。
【００８１】
また、励起光に対して感度がよい半導体層４４を適用した場合、フォトセンス期間が長いと暗くても明るいときと同程度のキャリアを蓄積してしまうことがあるためフォトセンスの暗と明の電圧比が低くなってしまうが、トップゲートドライバ２とボトムゲートドライバ３の転送速度を制御することにより最適な電圧比になるようにフォトセンス時間を設定することができる。
【００８２】
以上説明したように、この実施の形態にかかる撮像装置では、撮像素子１のトップゲートラインＴＧＬ及びボトムゲートラインＢＧＬを選択するためのトップゲートドライバ２及びボトムゲートドライバ３は、コントローラから制御信号Ｔｃｎｔ、Ｂｃｎｔとして供給される信号ＣＫ１、ＣＫ２の電圧レベルを各段ＲＳ（１）〜ＲＳ（ｎ）の出力信号として出力することができる。このため、撮像素子１に配置されたダブルゲートトランジスタ１０の行数が多くなり、トップゲートドライバ２及びボトムゲートドライバ３の段数が多くなっても、後ろの方の段で出力信号のレベルが減衰してしまうことがない。
【００８３】
また、トップゲートドライバ２及びボトムゲートドライバ３において、各段ＲＳ（１）〜ＲＳ（ｎ）の配線容量Ｃ２、Ｃ５に蓄積された電荷は、それぞれの後ろの段ＲＳ（２）〜ＲＳ（ｎ）、ＲＳ（１）からの出力信号ＯＵＴ２〜ＯＵＴｎ、ＯＵＴ１によってオンしたＴＦＴ３１を介して排出される。このため、継続使用によるオン／オフ駆動の回数の増大によりＴＦＴ２１の閾値特性が変動し、配線容量Ｃ２、Ｃ５に蓄積された電荷をＴＦＴ２１を介して排出することができなくなっても、ＴＦＴ３１を介して排出することができる。このため、ＴＦＴ２１の閾値特性の変動による誤動作を防ぐことができる。
【００８４】
さらに、この実施の形態にかかる撮像装置では、撮像素子１を構成する素子は、ダブルゲートトランジスタ１０だけであるのに対して、トップゲートドライバ２及びボトムゲートドライバ３を構成する素子は、ＴＦＴ２１〜２３、２５、２６、３１だけである。ここで、ＴＦＴ２１〜２３、２５、２６、３１は、ダブルゲートトランジスタ１０のトップゲート電極（またはボトムゲート電極）を除いた構造のものとすることができるので、トップゲートドライバ２及びボトムゲートドライバ３は、撮像素子１と同一の基板上に、同一のプロセスで形成することができる。
【００８５】
従って、撮像素子１、トップゲートドライバ２及びボトムゲートドライバ３を含む撮像装置を低コストで製造することが可能になると共に、撮像素子１とトップゲートドライバ２またはボトムゲートドライバ３との間の接続不良が発生することを抑えることができる。さらには、トップゲートドライバ２及びボトムゲートドライバ３を別モジュールで製造して取り付けるよりも、撮像装置全体を薄型に形成することができる。
【００８６】
また、この実施の形態の変形例として各段に出力信号をハイレベルから強制的にローレベルにするために図８に示すようにＴＦＴ２４を付加してもよい。ＴＦＴ２４はドレイン電極がＴＦＴ２５のソース電極に接続され、ソース電極には定電圧Ｖｓｓが供給され、奇数段のゲート電極には信号¬ＣＫ１（¬は、論理否定を表す。以下、同じ）が、偶数段のゲート電極には信号¬ＣＫ２が、供給される。信号¬ＣＫ１、¬ＣＫ２は、ハイレベル（オンレベル）でＴＦＴ２４をオンして出力信号ＯＵＴを定電圧Ｖｓｓにし、ローレベル（オフレベル）でＴＦＴ２４をオフ状態にする。
【００８７】
したがって、ＴＦＴ２６の駆動能力が高くなくても、迅速に出力信号をハイレベル（駆動レベル）からローレベル（非駆動レベル）にすることができる。図９に上記シフトレジスタのタイミングチャートを示す。上記シフトレジスタをボトムゲートドライバ３に適用した場合、信号ＣＫ１の立ち下がりから信号ＣＫ２の立ち上がりまでの期間、並びに信号ＣＫ２の立ち下がりから信号ＣＫ１の立ち上がりまでの期間に、コントローラからの制御信号Ｄｃｎｔに従ってドレインドライバ４からドレインラインＤＬへプリチャージ電圧が供給される。
【００８８】
［第２の実施の形態］
この実施の形態にかかる撮像装置の基本構成は、第１の実施の形態で示したもの（図１）と同じである。但し、トップゲートドライバ２及びボトムゲートドライバ３が第１の実施の形態のものと異なり、それぞれ順方向と逆方向との双方向に動作可能である。
【００８９】
図１０は、この実施の形態で適用されるトップゲートドライバ２またはボトムゲートドライバ３の全体の構成を示すブロック図である。図１１は、図１０に示したトップゲートドライバ２またはボトムゲートドライバ３の各段の回路構成を示す図である。トップゲートドライバ２とボトムゲートドライバ３との違いは、第１の実施の形態と同様に、コントローラから供給される信号のレベル及びタイミングだけであるので、ここではトップゲートドライバ２を例として説明する。
【００９０】
まず、全体の構成について説明する。撮像素子１に配されているダブルゲートトランジスタ１０の行数（トップゲートラインＴＧＬの数）をｎとすると、図１０のトップゲートドライバ２は、ｎ個の段ＲＳ２（１）〜ＲＳ２（ｎ）から構成される。但し、ｎは偶数である。
【００９１】
各段ＲＳ２（ｋ）（ｋ：１〜ｎの整数）には、ＴＦＴ２７、３４、３５が付加され、コントローラからの制御信号Ｔｃｎｔには、信号φ３、φ４が付加される。各段ＲＳ２（ｋ）のＴＦＴ３４は、ソース電極がＴＦＴ３１のゲート電極に接続され、ｎ段目の段ＲＳ２（ｎ）を除く段のドレイン電極には出力信号ＯＵＴｋ＋１が供給され、ｎ段目の段ＲＳ２（ｎ）のドレイン電極には出力信号ＯＵＴ１が供給される。そして、奇数段のＴＦＴ３４のゲート電極にはそれぞれ信号φ１が供給され、偶数段のＴＦＴ３４のゲート電極にはそれぞれ信号φ２が供給される。
【００９２】
各段ＲＳ２（ｋ）のＴＦＴ３５は、ソース電極がＴＦＴ３１のゲート電極に接続され、１段目の段ＲＳ２（１）を除く段のドレイン電極には出力信号ＯＵＴｋ−１が供給され、１段目の段ＲＳ２（１）のドレイン電極にはスタート信号ＩＮが供給される。奇数段のＴＦＴ３５のゲート電極には、それぞれ信号φ３が供給され、偶数段のＴＦＴ３５のゲート電極には、それぞれ信号φ４が供給される。
【００９３】
各段ＲＳ２（ｋ）のＴＦＴ２７は、ソース電極が同段のＴＦＴ２１のソース電極及びＴＦＴ２５のゲート電極に接続され、ｎ段目の段ＲＳ２（ｎ）を除く段のＴＦＴ２７のドレイン電極には、次段の出力信号ＯＵＴｋ＋１が供給され、ｎ段目の段ＲＳ２（ｎ）のＴＦＴ２７のドレイン電極には、スタート信号ＩＮが供給される。そして、奇数段のＴＦＴ２７のゲート電極にはそれぞれ信号φ３が供給され、偶数段のＴＦＴ２７のゲート電極にはそれぞれ信号φ４が供給される。
【００９４】
次に、各段ＲＳ２（１）〜ＲＳ２（ｎ）の回路構成について説明する。１段目以外の奇数番目の段ＲＳ２（ｋ）を例として説明すると、図１１に示すように、ＴＦＴ２７のゲート電極には、コントローラからの信号φ３が供給される。ＴＦＴ２７のドレイン電極には、後ろの段ＲＳ２（ｋ＋１）からの出力信号ＯＵＴｋ＋１が供給される。ＴＦＴ２７は、ハイレベル（オンレベル）の信号φ３が供給されたときにオンし、出力信号ＯＵＴｋ＋１によりドレイン電極とソース電極との間に電流が流れることによって、ＴＦＴ２１と同様に、配線容量Ｃ２、Ｃ５に電荷をチャージさせる。
【００９５】
順方向モードにおいて、ＴＦＴ３４のゲート電極には、コントローラからの信号φ１が供給され、ドレイン電極には、後ろの段ＲＳ２（ｋ＋１）からの出力信号ＯＵＴｋ＋１が供給される。ＴＦＴ３４は、ハイレベル（オンレベル）の信号φ１が供給されたときにオンし、後ろの段ＲＳ２（ｋ＋１）からの出力信号ＯＵＴｋ＋１をＴＦＴ３１のゲート電極に供給することによって、ＴＦＴ３１をオンさせる。
【００９６】
逆方向モードにおいて、ＴＦＴ３５のゲート電極には、コントローラからの信号φ４が供給され、ドレイン電極には、前の段ＲＳ２（ｋ−１）からの出力信号ＯＵＴｋ−１が供給される。ＴＦＴ３５は、ハイレベル（オンレベル）のφ４が供給されたときにオンし、前の段ＲＳ２（ｋ−１）からの出力信号ＯＵＴｋ−１をＴＦＴ３１のゲート電極に供給することによって、ＴＦＴ３１をオンさせる。
【００９７】
なお、ｎ番目の段ＲＳ２（ｎ）では、コントローラからのスタート信号ＩＮが出力信号ＯＵＴｋ＋１の代わりに、ＴＦＴ２７のドレイン電極に供給される。ｎ番目以外の偶数番目の段ＲＳ２（ｋ）では、信号φ３の代わりに信号φ４がコントローラから供給される。
【００９８】
以下、この実施の形態にかかる撮像装置の動作について説明する。最初に、トップゲートドライバ２及びボトムゲートドライバ３の動作について、順方向の場合と逆方向の場合とに分けて説明する。ここでも、トップゲートドライバ２の動作とボトムゲートドライバ３の動作とで大きな違いはないため、トップゲートドライバ２を例として説明する。
【００９９】
図１２は、この実施の形態で適用されるトップゲートドライバ２（またはボトムゲートドライバ３）の順方向の動作を示すタイミングチャートである。図示するように、信号φ３、φ４は、常にローレベルとなっており、各段ＲＳ２（１）〜ＲＳ２（ｎ）においてＴＦＴ２７は常にオフされている。
【０１００】
このため、ｋ番目の段ＲＳ２（ｋ）を例とすると、当該段のＴＦＴ３４は、ドレイン電極にｋ＋１番目の段ＲＳ２（ｋ＋１）からの出力信号ＯＵＴｋ＋１が供給され、ｋが奇数であればハイレベルの信号φ１、偶数であればハイレベルの信号φ２が、同期してゲート電極に供給され、ＴＦＴ３１を介し配線容量Ｃ２、Ｃ５の電荷をディスチャージする。このとき信号φ３、φ４がローレベルのため、全段のＴＦＴ３５は常時オフ状態であるこのため、順方向動作時において、トップゲートドライバ２（またはボトムゲートドライバ３）は、図６に示した第１の実施の形態のものと実質的に同一に動作することとなる。
【０１０１】
図１３は、この実施の形態で適用されるトップゲートドライバ２（またはボトムゲートドライバ３）の逆方向の動作を示すタイミングチャートである。図示するように、信号φ１、φ２は、常にローレベルとなっており、各段ＲＳ２（１）〜ＲＳ２（ｎ）においてＴＦＴ２１、ＴＦＴ３４は常にオフされ、出力信号ＯＵＴｎ、ＯＵＴｎ−１、……、ＯＵＴ２、ＯＵＴ１の順にハイレベルになる。
【０１０２】
このため、ｋ番目の段ＲＳ２（ｋ）を例にすると、当該段のＴＦＴ３５は、ドレイン電極にｋ−１番目の段ＲＳ２（ｋ−１）からの出力信号ＯＵＴｋ−１が供給され、これに同期してｋが奇数であればハイレベルの信号φ３、偶数であればハイレベルの信号φ４が、ゲート電極に供給され、ＴＦＴ３１を介し配線容量Ｃ２、Ｃ５の電荷をディスチャージする。このとき信号φ１、２がローレベルのため、全段のＴＦＴ３４は常時オフ状態である。また、信号φ４がハイレベルとなるタイミングと信号φ３とがハイレベルとなるタイミングとは、順方向動作における信号φ１、φ２と同様に、互い違いである。さらに、信号ＣＫ１がハイレベルとなる期間と、信号ＣＫ２がハイレベルとなる期間とは、スタート信号ＩＮに対し順方向動作の場合とはほぼ逆になっている。
【０１０３】
タイミングｔ０からｔ１までの所定期間、ハイレベルのスタート信号ＩＮがコントローラからｎ番目の段ＲＳ２（ｎ）のＴＦＴ２７のドレイン電極と１番目の段ＲＳ２（１）のＴＦＴ２１のドレイン電極とに供給される。この間において、信号φ４が立ち上がると、偶数番目の段ＲＳ２（２），ＲＳ２（４），・・・，ＲＳ２（ｎ）のＴＦＴ２７がオンする。これにより、ｎ番目の段ＲＳ２（ｎ）の配線容量Ｃ２、Ｃ５に電荷がチャージされ、当該段のＴＦＴ２２、２５がオンし、配線容量Ｃ６から電荷がディスチャージされてＴＦＴ２６がオフする。
【０１０４】
次に、タイミングｔ１からｔ２までの所定期間、信号ＣＫ２がハイレベルとなる。このとき、ｎ番目の段ＲＳ２（ｎ）は、ＴＦＴ２５がオン、ＴＦＴ２６がオフとなっていることから、ブートストラップ効果によりほぼ信号ＣＫ２のハイレベルを出力信号ＯＵＴｎとして出力する。
【０１０５】
また、この期間では、信号φ３が立ち上がると、ｎ−１番目の段ＲＳ２（ｎ−１）の配線容量Ｃ２、Ｃ５に電荷がチャージされ、ＴＦＴ２２、２５がオンすると共に、配線容量Ｃ６から電荷がディスチャージされ、ＴＦＴ２６がオフする。が、ｎ−１番目の段ＲＳ２（ｎ−１）のＴＦＴ２５のドレイン電極に供給される信号ＣＫ１はローレベルであるため、ｎ−１番目の段ＲＳ２（ｎ−１）は、ほぼ信号ＣＫ１のローレベルを出力信号ＯＵＴｎ−１として出力する。
【０１０６】
タイミングｔ２からｔ３の所定期間、信号ＣＫ１がハイレベルとなる。タイミングｔ２からｔ３の期間においては、タイミングｔ１からｔ２の間における段ＲＳ２（ｎ）、ＲＳ２（１）、ＲＳ２（ｎ−１）をそれぞれ段ＲＳ２（ｎ−１）、ＲＳ（ｎ）、ＲＳ（ｎ−２）に、信号ＣＫ２、ＣＫ１をそれぞれ信号ＣＫ１、ＣＫ２に、信号φ４と信号φ３を互いに置き換えると、各段ＲＳ２（１）〜ＲＳ２（ｎ）は、タイミングｔ１からｔ２の期間と同様に動作することとなる。すなわち、ｎ−１番目の段ＲＳ２（ｎ−１）からの出力信号ＯＵＴｎ−１が所定期間ハイレベルとなり、それ以外の段ＲＳ２（１）〜ＲＳ２（ｎ−２）、ＲＳ２（ｎ）からの出力信号ＯＵＴ１〜ＯＵＴｎ−２、ＯＵＴｎがローレベルとなる。
【０１０７】
このとき、ハイレベルの出力信号ＯＵＴｎ−１は、ｎ番目の段ＲＳ２（ｎ）のＴＦＴ３５のドレイン電極に供給され、同期してハイレベルの信号φ４がＴＦＴ３５のゲート電極に供給されるため、段ＲＳ２（ｎ）の配線容量Ｃ２、Ｃ５に蓄積された電荷がＴＦＴ３１を介してディスチャージされる。すなわち、逆方向での段ＲＳ２（ｋ）の配線容量Ｃ２、Ｃ５に蓄積された電荷をディスチャージは、段ＲＳ２（ｋ−１）のハイレベルの出力信号ＯＵＴｋを段ＲＳ２（ｋ）のＴＦＴ３５のドレイン電極に供給し、同期してゲート電極にハイレベルの信号φ３又はφ４を供給することにより達成される。
【０１０８】
以下同様に動作を繰り返し、タイミングｔｎ−２からｔｎ−１の期間においては、３番目の段ＲＳ２（３）からの出力信号ＯＵＴ３が所定期間ハイレベルとなり、それ以外の段ＲＳ２（１），ＲＳ２（２），ＲＳ２（４）〜ＲＳ２（ｎ）からの出力信号ＯＵＴ１、ＯＵＴ２、ＯＵＴ４〜ＯＵＴｎがローレベルとなる。タイミングｔｎ−１からｔｎの期間においては、２番目の段ＲＳ２（２）からの出力信号ＯＵＴ２が所定期間ハイレベルとなり、それ以外の段ＲＳ２（１），ＲＳ２（３）〜ＲＳ２（ｎ）から出力信号ＯＵＴ１、ＯＵＴ３〜ＯＵＴｎがローレベルとなる。タイミングｔｎからｔ１の期間においては、１番目の段ＲＳ２（１）からの出力信号ＯＵＴ１が所定期間ハイレベルとなり、それ以外の段ＲＳ２（２）〜ＲＳ２（ｎ）から出力信号ＯＵＴ２〜ＯＵＴｎがローレベルとなる。
【０１０９】
なお、図１２、図１３のタイミングチャートにおいても、第１の実施の形態の場合（図６）と同様に、トップゲートドライバ２として適用した場合には、コントローラからの信号ＣＫ１、ＣＫ２がハイレベルとなっている所定期間は、１水平期間の全体であっても、１水平期間の一部でもよい。すなわち、トップゲートドライバ２では、リセット電圧を１Ｔの期間出力してもよく、また１Ｔ未満の間出力してもよい。。一方、ボトムゲートドライバ３として適用した場合には、コントローラからの信号ＣＫ１、ＣＫ２がハイレベルとなっている所定期間は、１水平期間のうちの前半半分である。すなわち、ボトムゲートドライバ３では、ハイレベルの出力信号ＯＵＴｋとハイレベルの出力信号ＯＵＴｋ＋１との間に、ドレインラインＤＬにプリチャージ電圧を供給する期間がある。
【０１１０】
次に、撮像素子１を駆動して画像を撮影するための全体の動作について説明する。撮像素子１を駆動する場合、トップゲートドライバ２及びボトムゲートドライバ３は、コントローラからの制御信号Ｔｃｎｔ、Ｂｃｎｔに従って、双方共に順方向で動作するか逆方向で動作する。順方向の場合は、第１の実施の形態で説明したものと同様に動作する。一方、逆方向で動作する場合は、ダブルゲートトランジスタ１０のｎ行目から１行目を順方向の場合の１行目からｎ行目と考えたのと同様に動作することとなる。
【０１１１】
以上説明したように、この実施の形態にかかる撮像装置では、トップゲートドライバ２及びボトムゲートドライバ３は、それぞれトップゲートラインＴＧＬとボトムゲートラインＢＧＬを、順方向と逆方向との双方向で走査できることとなる。このため、撮像対象物の画像を反転させて取得するときに、コントローラは、トップゲートドライバ２及びボトムゲートドライバ３に供給する制御信号Ｔｃｎｔ、Ｂｃｎｔを変えるだけで、複雑な処理を行う必要がない。
【０１１２】
また、上記実施の形態における各段に図１４に示すようにＴＦＴ２４を付加させてもよい。このとき、奇数段のＴＦＴ２４のゲート電極には信号¬ＣＫ１が、偶数段のＴＦＴ２４のゲート電極には信号¬ＣＫ２が、それぞれ入力される。
【０１１３】
［実施の形態の変形］
本発明は、上記の第１、第２の実施の形態に限られず、種々の変形、応用が可能である。以下、本発明に適用可能な上記の実施の形態の変形態様について、説明する。
【０１１４】
上記の第１の実施の形態では、図４に示したトップゲートドライバ２及びボトムゲートドライバ３は、各段が基本構成としての５つのＴＦＴ２１〜２３、２５、２６と、付加構成としての１つのＴＦＴ３１とから構成されるものとしていた。しかしながら、トップゲートドライバ２及びボトムゲートドライバ３は、この構成に限られるものではない。図４に示すトップゲートドライバ２及びボトムゲートドライバ３の他の構成例について、図１５〜図１８を参照して説明する。
【０１１５】
図１５に示す構成では、トップゲートドライバ２またはボトムゲートドライバ３の各段（ｋ：１〜ｎの整数）は、基本構成としてのＴＦＴ２１〜２３、２５、２６に加えて、付加構成としてのＴＦＴ３２を有している。ＴＦＴ３２は、ゲート電極に基準電圧Ｖｄｄが印加され、ドレイン電極が配線容量Ｃ２、Ｃ５に接続され、ソース電極が定電圧Ｖｓｓに接続されている。ＴＦＴ２１がオンし、ハイレベルの信号がそのドレイン電極から出力されたときに配線容量Ｃ２、Ｃ５に蓄積された電荷は、ＴＦＴ２１がオフするとＴＦＴ３２を介して徐々に排出される。このため、ＴＦＴ２１の閾値特性の変動によって、配線容量Ｃ２、Ｃ５に蓄積された電荷をＴＦＴ２１を介して排出するのが困難になっても、ＴＦＴ３２を介して排出することができ、ＴＦＴ２１の閾値特性の変動に起因する誤動作を防ぐことができる。
【０１１６】
図１６に示す構成では、図１５に示すトップゲートドライバ２またはボトムゲートドライバ３の各段（ｋ：１〜ｎの整数）に、ＴＦＴ２４を付加している。
【０１１７】
図１７に示す構成では、トップゲートドライバ２またはボトムゲートドライバ３の各段（ｋ：１〜ｎの整数）は、基本構成としてのＴＦＴ２１〜２３、２５、２６に加えて、付加構成としての抵抗素子３３を有している。抵抗素子３３は、一端が配線容量Ｃ２、Ｃ５に接続され、他端が接地されている。ＴＦＴ２１がオンし、ハイレベルの信号がそのドレイン電極から出力されたときに配線容量Ｃ２、Ｃ５に蓄積された電荷は、ＴＦＴ２１がオフすると抵抗素子３３を介して徐々に排出される。このため、ＴＦＴ２１の閾値特性の変動によって、配線容量Ｃ２、Ｃ５に蓄積された電荷をＴＦＴ２１を介して排出するのが困難になっても、抵抗素子３３を介して排出することができ、ＴＦＴ２１の閾値特性の変動に起因する誤動作を防ぐことができる。
【０１１８】
また、図１８に示す構成では、図１７に示すトップゲートドライバ２またはボトムゲートドライバ３の各段（ｋ：１〜ｎの整数）に、ＴＦＴ２４を付加している。
【０１１９】
ここで、ＴＦＴ２４がなくても動作可能な理由について説明する。ＴＦＴ２５のソース電極から出力される信号ＣＫ１（またはＣＫ２）のレベルがローレベルに変化すると、ハイレベル時にドレイン電極に接続された配線に蓄積された電荷が強制的にディスチャージされることはないものの、出力信号ＯＵＴｋのレベルは、信号ＣＫ１のローレベルまで変化することができる。すなわち、出力信号ＯＵＴｋのレベルをローレベルまでに変化させるための時間は、チャージされた電荷の量が多く、ＴＦＴ２６の駆動能力が小さいと、図８、図１４の例に比べてかかるものの、一定時間の間で出力信号ＯＵＴｋのレベルをローレベルに変化させることができることによるものである。
【０１２０】
上記の第２の実施の形態では、図１１に示したトップゲートドライバ２及びボトムゲートドライバ３は、各段が基本構成としての７つのＴＦＴ２１〜２３、２５〜２７と、付加構成としての１つのＴＦＴ３１、３４、３５とから構成されるものとしていた。しかしながら、トップゲートドライバ２及びボトムゲートドライバ３は、この構成に限られるものではない。図１１に示すトップゲートドライバ２及びボトムゲートドライバ３の他の構成例について、図１９〜図２２を参照して説明する。
【０１２１】
図１９〜図２２に示す構成では、それぞれ図１５〜図１８に示す構成のものに基本構成のＴＦＴ２７を付加した構成となっている。ここで、ＴＦＴ２７の機能は、図１１に示したものと同じである。ＴＦＴ３４、３５の機能は、図１１に示したものと同じである。つまり、トップゲートドライバ２及びボトムゲートドライバ３の各段ＲＳ２（１）〜ＲＳ２（ｎ）を図１９〜図２２に示すように構成しても、順方向と逆方向との双方向に動作するものとすることができる。
【０１２２】
また、上記の第１、第２の実施の形態では、１番目の段ＲＳ（１）の出力信号ＯＵＴｎをｎ番目の段ＲＳ（ｎ）のＴＦＴ３１のゲート電極に供給し、これによって配線容量Ｃ２、Ｃ５に蓄積された電荷をディスチャージさせていた。しかしながら、１番目の段ＲＳ（１）のＴＦＴ３１のゲート電極には、コントローラから所定のタイミングで制御信号を供給するものとしてもよい。これにより、１垂直期間中の最後の水平期間から次の垂直期間の最初の水平期間に至るまでの時間を任意に設定することが可能となる。
【０１２３】
また、上記の第１、第２の実施の形態では、図６、図１２、図１３のタイミングチャートで示したように、１垂直期間が開始するとコントローラからハイレベルのスタート信号ＩＮをトップゲートドライバ２（またはボトムゲートドライバ３）の１番目の段ＲＳ（１）またはｎ番目の段ＲＳ（ｎ）に供給するものとしていた。しかしながら、この場合におけるスタート信号ＩＮは、ｎ番目の段ＲＳ（ｎ）または１番目の段ＲＳ（１）から出力される出力信号ＯＵＴｎまたはＯＵＴ１と同じである。従って、トップゲートドライバ２（またはボトムゲートドライバ３）を連続駆動させる場合には、１番最初にイニシャルパルスとしてハイレベルのスタート信号ＩＮを供給する以外は、スタート信号ＩＮの替わりに出力信号ＯＵＴｎ（順方向）またはＯＵＴ１（逆方向）を１番目の段ＲＳ（１）またはｎ番目の段ＲＳ（ｎ）に供給するものとしてもよい。
【０１２４】
また、上記の第１、第２の実施の形態では、ＴＦＴ２４を付加した場合、トップゲートドライバ２の奇数番目の段ＲＳ（１），ＲＳ（３），・・・には信号ＣＫ１、¬ＣＫ１を、偶数番目の段ＲＳ（２），ＲＳ（４），・・・には信号ＣＫ２、¬ＣＫ２をそれぞれコントローラから供給するものとしていた。しかしながら、トップゲートドライバ２の場合は、ボトムゲートドライバ３と異なり、常に信号ＣＫ１、ＣＫ２のどちらかがハイレベルの状態とさせることができる。すると、信号ＣＫ２は信号¬ＣＫ１と、信号¬ＣＫ２は信号ＣＫ１とそれぞれ等価なものとなる。従って、偶数番目の段ＲＳ（２），ＲＳ（４），・・・には信号¬ＣＫ１、ＣＫ１をコントローラから供給するものとしてもよい。
【０１２５】
また、上記の第１、第２の実施の形態では、図５、図８、図１１、図１４に示すシフトレジスタを、撮像素子１を駆動するためのトップゲートドライバ２またはボトムゲートドライバ３として適用した場合を説明した。しかしながら、このような構成のシフトレジスタは、複数の画素が配置された任意の撮像素子または表示素子について、画素を行毎に選択するドライバとして適用することができる。さらには、このような構成のシフトレジスタは、撮像素子または表示素子を駆動するためのドライバとしてだけではなく、直列のデータを並列のデータに変換する場合などの他の用途にも適用することができる。
【０１２６】
上記シフトレジスタをデジタルスチルカメラの液晶表示装置のゲートドライバに適用した例を以下に説明する。
【０１２７】
図２３は、この実施の形態にかかるデジタルスチルカメラの外観を示す斜視図である。図示するように、このデジタルスチルカメラは、カメラ本体部１０１とレンズユニット部１０２とから構成されている。
【０１２８】
カメラ本体部１０１は、その正面に表示部１１０と、モード設定キー１１２ａとを備える。モード設定キー１１２ａは、画像を撮影し、後述する画像メモリに記録する撮影モードと、記録された画像を再生する再生モードとの切り換えを行うためのキーである。表示部１１０は、液晶表示装置によって構成され、撮影モード時には撮影前にレンズで捉えている画像を表示する（モニタリングモード）ためのビューファインダとして機能し、再生モード時には記録された画像を表示するためのディスプレイとして機能する。表示部１１０の構成については、詳しく後述する。
【０１２９】
カメラ本体部１０１は、また、その上面に電源キー１１１と、シャッターキー１１２ｂと、「＋」キー１１２ｃと、「−」キー１１２ｄと、シリアル入出力端子１１３とを備える。電源キー１１１は、スライド操作することによって、デジタルスチルカメラの電源をオン／オフするためのキーである。
【０１３０】
シャッターキー１１２ｂは、撮影モード時に画像の記録を指示すると共に、再生モード時に選択内容の決定を指示するためのキーである。「＋」キー１１２ｃ及び「−」キー１１２ｄは、再生モード時に画像メモリに記録されている画像データから表示部１１０に表示するための画像データを選択したり、記録／再生時の条件設定のために用いられる。シリアル入出力端子１１３は、外部の装置（パーソナルコンピュータ、プリンタなど）との通信を行うためのケーブルを挿入するための端子である。
【０１３１】
レンズユニット部１０２は、撮影すべき画像を結像するレンズを図の背面側に備える。レンズユニット部２は、カメラ本体部１０１に結合した軸にを中心に上下方向に３６０°回動可能に取り付けられている。
【０１３２】
図２４は、図２３のデジタルスチルカメラの回路構成を示すブロック図である。図示するように、このデジタルスチルカメラの回路は、表示部１１０と、キー入力部１１２ａ、１１２ｂ、１１２ｃ、１１２ｄと、マトリクス状に複数の撮像画素が配列され、受光した光の強度によって電荷を蓄積するＣＣＤ（Charge Coupled Device）１２１と、サンプルホールド回路１２２と、Ａ／Ｄ変換器１２３と、垂直ドライバ１２４と、タイミングジェネレータ１２５と、カラープロセス回路１２６と、ＤＭＡコントローラ１２７と、ＤＲＡＭ１２８と、記録用メモリ１３０と、キー入力部１１２ａ、１１２ｂ、１１２ｃ、１１２ｄからのコマンドに従ってに格納されたプログラムを実行し、デジタルスチルカメラの各回路部を制御するＣＰＵ（Central Processing Unit）３１と、画像圧縮伸長回路１３２と、ＶＲＡＭコントローラ１３３と、ＶＲＡＭ１３４と、デジタルビデオエンコーダ１３５と、シリアル入出力端子１１３とを備える。
【０１３３】
撮影モードにおける上記回路の動作状態を説明する。撮影モードには２つの動作モードがあり、撮影した画像を表示部１１０にて表示するモニタリングモードと、撮影した画像を画像データとして記録する画像記録モードと、に分けられる。
【０１３４】
モニタリングモードでは、ＣＰＵ１３１が予め設定された撮像周期毎にタイミングジェネレータ１２５及びカラープロセス回路１２６を制御することによりＣＣＤ１２１を駆動させる。ＣＣＤ１２１は、垂直ドライバ１２４から出力された駆動信号Ｓｐに基づいて撮影した画像の光量に応じて変換された電気信号Ｓｅをサンプルホールド回路１２２に順次出力する。サンプルホールド回路１２２は、この電気信号Ｓｅのうちの実効部分Ｓｅ’をＡ／Ｄ変換器１２３に出力する。Ａ／Ｄ変換器１２３は実効部分Ｓｅ’をデジタルデータＳｄに変換し、カラープロセス回路１２６に出力し、カラープロセス回路１２６はデジタルデータＳｄから輝度／色差デジタルデータであるＹＵＶデータをＤＭＡコントローラ１２７に出力する。ＤＭＡコントローラ１２７は、 ＹＵＶデータをＤＲＡＭ１２８に記録・更新する。
【０１３５】
ＣＰＵ１３１は、ＤＭＡコントローラ１２７から転送された１フレーム分のＹＵＶデータをＤＲＡＭ１２８から読み出し、ＶＲＡＭコントローラ１３３を介してＶＲＡＭ１３４に書き込む。また、デジタルビデオエンコーダ１３５は、一定周期毎にＶＲＡＭコントローラ１３３を介してＶＲＡＭ１３４より１フレーム分のＹＵＶデータを線順次で読み出してアナログビデオ信号Ｓａを生成し、表示部１１０に出力する。 シリアル入出力端子１１３は、ＣＰＵ１３１が外部機器とデータのシリアル転送を行うための入出力端子である。
【０１３６】
キー入力部１１２ａ、１１２ｂ、１１２ｃ、１１２ｄは、それぞれカメラ本体部１０１に配されたモード設定キー１１２ａ、シャッターキー１１２ｂ、「＋」キー１１２ｃ及び「−」キー１１２ｄから構成され、これらの各キーからの入力に従ったコマンドをＣＰＵ１３１に投入する。
【０１３７】
以下に、画像記録モードを説明する。
まずＣＣＤ１２１がサンプルホールド回路１２２に電気信号Ｓｅが出力し続けている状態で操作者がデジタルスチルカメラのシャッターキー１１２ｂを押すことにより、ＣＰＵ１３１がタイミングジェネレータ１２５及びカラープロセス回路１２６を制御して転送動作が停止される。そして、最後に転送された１フレーム分の電気信号Ｓｅはモニタリングモードと同様に、サンプルホールド回路１２２、 Ａ／Ｄ変換器１２３、及びカラープロセス回路１２６を介してＹＵＶデータに変換される。ＣＰＵ１３１は、このＹＵＶデータをＤＭＡコントローラ１２７を介して所定のフォーマットで読み出し、画像圧縮伸長回路１３２に入力し圧縮させる。圧縮されたデータは、記録用メモリ１３０で保存される。
この保存が終了後、ＣＰＵ１３１は、タイミングジェネレータ１２５及びカラープロセス回路１２６を再び起動し、モニタリングモードに自動的に戻る。
【０１３８】
再生モードでは、キー入力部１１２ａ、１１２ｂ、１１２ｃ、１１２ｄでの操作に応じて、記録用メモリ１３０で保存された圧縮データを画像圧縮伸長回路１３２で伸長し、この圧縮を解凍された１フレーム分のＹＵＶデータを画像圧縮伸長回路１３２から読み出し、ＶＲＡＭコントローラ１３３を介してＶＲＡＭ１３４に書き込む。 ＶＲＡＭ１３４に書き込まれた１フレーム分のＹＵＶデータは、ビデオエンコーダ１３５で線順次で読み出して変換され、アナログビデオ信号Ｓａとして表示部１１０に出力される。また画像記録モードで撮影が終了直後に再生モードに切り替わり、表示部１１０が撮影した１フレーム分の画像を表示するように設定してもよい。
【０１３９】
図２５は、図２３、図２４の表示部１１０の構成を示すブロック図である。
表示部１１０は、液晶表示装置によって構成されるもので、クロマ回路２１１と、位相比較器２１２と、レベルシフタ２１３と、液晶コントローラ１０１と、液晶パネル２０２と、ゲートドライバ２０３と、ドレインドライバ２０４とを備える。
【０１４０】
モニタリングモード及び画像記録モードのいずれにおいても、クロマ回路２１１はデジタルビデオエンコーダ１３５のアナログビデオ信号ＳａからアナログＲＧＢ信号ＳＲ１，ＳＧ１，ＳＢ１を生成する。このとき、アナログビデオ信号ＳＲ１，ＳＧ１，ＳＢ１は、液晶パネル２０２の視覚特性に合わせてガンマ補正が行われている。レベルシフタ２１３は、液晶を交流駆動するため、及び明るさを調整するためクロマ回路２１１で生成されたアナログＲＧＢ信号ＳＲ１，ＳＧ１，ＳＢ１の極性を１ラインまたは１フレーム毎に反転し、且つ振幅の制御を行い、レベルシフト処理されたアナログＲＧＢ信号ＳＲ２，ＳＧ２，ＳＢ２を出力する。
【０１４１】
液晶コントローラ１０１は、発振回路を内蔵し、クロマ回路２１１がアナログビデオ信号Ｓａから同期分離処理により生成した垂直同期信号ＶＤが入力されることにより垂直方向の同期をとり、水平同期信号ＨＤと位相比較信号ＣＫＨによる位相比較器出力によりＰＬＬ（Phase Locked Loop）を構成して水平方向の同期をとる。そして、液晶コントローラ１０１は、極性反転制御用信号ＣＫＦをレベルシフタ２１３に出力し、ドレインドライバ２０４に制御信号群ＤＣＮＴを出力し、ゲートドライバ２０３に制御信号群ＧＣＮＴを出力する。
【０１４２】
液晶パネル２０２は、ｍ×ｎ個の画素によって構成されるアクティブマトリクス駆動のものであり、一対の基板間に液晶を封入することによって構成されている。液晶パネル２０２の一方の基板には、クロマ回路２１１で生成され、ＡＣレベル増幅及びＤＣレベル増幅されたコモン電圧ＶＣＯＭ（ＶＣＯＭはその値を経時的に変位しても可）が印加されている共通電極が形成され、液晶パネル２０２の他方の基板には、画素に対応する画素電極と半導体層がアモルファスシリコンまたはポリシリコンからなる薄膜トランジスタ（ＴＦＴ）２０２ａとがマトリクス状に配置されており、画素電極の間にはｎ本のゲートラインＧＬ１〜ＧＬｎとｍ本のドレインラインＤＬ１〜ＤＬｍとがそれぞれ平行に形成されている。そして、ゲートラインＧＬ１〜ＧＬｎと平行してキャパシタラインＣＬ１〜ＣＬｎが設けられている。
【０１４３】
液晶パネル２０２の１画素分の等価回路を図２５に示す。ＴＦＴ２０２ａのゲートはゲートラインＧＬに、ドレインはドレインラインＤＬに、ソースは画素電極にそれぞれ接続され、画素容量２０２ｂは、画素電極、共通電極及びその間の液晶とで構成される。ドレインラインＤＬ上の表示信号は、選択されているゲートラインＧＬに対応するＴＦＴ１０２を介して画素容量２０２ｂに書き込まれる。画素容量２０２ｂに書き込まれた表示信号に従って液晶の配向状態が制御され、液晶を透過する光の量が変化することによって画像が表示される。キャパシタ２０２ｃは、キャパシタラインＣＬ１〜ＣＬｎ、それに重なるゲート絶縁膜及び画素電極から構成され、キャパシタラインＣＬ１〜ＣＬｎには、キャパシタ電圧ＶＣＳが常時印加されている。そして全ての共通電極にはライン毎に可変のコモン電圧ＶＣＯＭが常時印加されている。
【０１４４】
ゲートドライバ２０３は、上記実施の形態に示すｎ段構成のシフトレジスタによって構成され、コントローラ１０１から供給される制御信号群ＧＣＮＴ中の信号ＣＫ１、ＣＫ２及びｓｔａｒｔ信号ＩＮに従って、ゲートラインＧＬ１〜ＧＬｎのいずれかを順次選択して、アクティブ（ハイレベル）にする。
【０１４５】
ドレインドライバ２０４は、シフトレジスタと、レベルシフタと、サンプルホールドバッファーと、マルチプレクサーとから構成される。
【０１４６】
ドレインドライバ２０４のシフトレジスタは、液晶パネル２０２の水平方向の画素数に対応するｍ段構成のもので、制御信号群ＤＣＮＴのうちのクロック信号、反転クロック信号及びスタート信号が入力されてアナログＲＧＢ信号のサンプリングを行うためのサンプリング信号を生成する。レベルシフタは、サンプリング信号をサンプルホールドバッファーの動作レベルに変換するための回路である。マルチプレクサーは、制御信号群ＤＣＮＴのうちの配列信号に基づいてレベルシフタ２１３からのアナログビデオ信号ＳＲ２，ＳＧ２，ＳＢ２を各ラインの画素のＲＧＢ配列に応じた順番に整列させて出力する。サンプルホールドバッファーは、レベルシフタからのサンプリング信号に基づいてアナログビデオ信号ＳＲ２，ＳＧ２，ＳＢ２をバッファで増幅してドレインラインＤＬ１〜ＤＬｍに出力する。
【０１４７】
以下、この実施の形態にかかるデジタルスチルカメラの動作について、説明する。
【０１４８】
モード設定キー１１２ａの操作により、デジタルスチルカメラのモードが撮影モード（モニタリングモード及び画像記録モード）に設定されている場合には、レンズによって結像された画像に応じてＣＣＤ１２１の各画素が蓄積した電荷に対応する電気信号Ｓｅが垂直ドライバ１２４から供給される駆動信号に従ってサンプルホールド回路１２２に順次入力され、実効部分のアナログ電気信号Ｓｅ’としてＡ／Ｄ変換器１２３に入力される。読み出された撮像信号Ｓｅは、を介してＡ／Ｄ変換器１２３に供給され、デジタルの画像データＳｄに変換されてカラープロセス回路１２６に供給される。
【０１４９】
カラープロセス回路１２６はデジタルデータＳｄから輝度／色差デジタルデータであるＹＵＶデータをＤＭＡコントローラ１２７に出力し、ＤＭＡコントローラ１２７は、 ＹＵＶデータをＤＲＡＭ１２８に記録・更新する。ＣＰＵ１３１は、ＤＭＡコントローラ１２７から転送された１フレーム毎のＹＵＶデータをＤＲＡＭ１２８から読み出し、ＶＲＡＭコントローラ１３３を介してＶＲＡＭ１３４に書き込む。そして、デジタルビデオエンコーダ１３５は、一定周期毎にＶＲＡＭコントローラ１３３を介してＶＲＡＭ１３４より１フレーム分のＹＵＶデータを線順次で読み出してアナログビデオ信号Ｓａを生成し、表示部１１０に出力し、表示部１１０で表示される。
【０１５０】
ここで、シャッターキー１１２ｂが操作されると、ＣＰＵ１３１からの指示に従ってＣＰＵ１３１がタイミングジェネレータ１２５及びカラープロセス回路１２６を制御して転送動作が停止される。そして、最後に転送された１フレーム分の電気信号Ｓｅが、サンプルホールド回路１２２、Ａ／Ｄ変換器１２３、及びカラープロセス回路１２６を介してＹＵＶデータに変換される。ＹＵＶデータは、ＤＭＡコントローラ１２７を介して所定のフォーマットで読み出し、画像圧縮伸長回路１３２に入力し圧縮され、記録用メモリ１３０で保存される。
【０１５１】
一方、モード設定キー１１２ａの操作により、デジタルスチルカメラのモードが再生モードに設定されている場合には、ＣＰＵ１３１は、「＋」キー１１２ｃまたは「−」キー１１２ｄの操作によって指示された圧縮画像データを記録用メモリ１３０から読み出し、画像圧縮伸長回路１３２で伸長され、ＶＲＡＭコントローラ１３３の制御によりＶＲＡＭ１３４に書き込まれる。この書き込まれたＹＵＶデータは、デジタルビデオエンコーダによりアナログ化され、アナログ信号Ｓａとして表示部１１０に出力される。
【０１５２】
アナログビデオ信号Ｓａはクロマ回路２１１に入力され、ガンマ補正されたアナログビデオ信号ＳＲ１，ＳＧ１，ＳＢ１、垂直同期信号ＶＤ及び水平同期信号ＨＤに分離される。位相比較器２１２は、クロマ回路２１１からの水平同期信号ＨＤ及び液晶コントローラ１０１からの位相比較信号ＣＫＨにより水平方向のタイミングを測り液晶コントローラ１０１に出力する。液晶コントローラ１０１は、これらの信号に応じて、ドレインドライバ２０４に制御信号群ＤＣＮＴを出力するとともに、ゲートドライバ２０３に制御信号群ＧＣＮＴを出力する。液晶コントローラ１０１からの極性反転制御用信号ＣＫＦに基づき、クロマ回路２１１から出力されたアナログビデオ信号ＳＲ１，ＳＧ１，ＳＢ１は、レベルシフタ２１３で１ラインまたは１フレーム毎に極性反転される。この適宜反転されたアナログビデオ信号ＳＲ２，ＳＧ２，ＳＢ２は、制御信号群ＤＣＮＴに応じてドレインドライバ２０４に入力される。
【０１５３】
コントローラ１０１が生成した制御信号群ＧＣＮＴ中のｓｔａｒｔ信号ＩＮがゲートドライバ２０３に供給されることによって、ゲートドライバ２０３が動作を開始する。
【０１５４】
液晶コントローラ１０１からは、クロック信号が順次供給され、このとき、ゲートラインＧＬ１本毎に出力されるスタート信号により各段にサンプリング信号が転送される。転送されたサンプリング信号は、レベルシフタにより動作レベルに変換し、順次出力される。アナログビデオ信号ＳＲ２，ＳＧ２，ＳＢ２は、マルチプレクサーにパラで入力され、制御信号群ＤＣＮＴのうちの配列信号に基づいて各ラインの画素のＲＧＢ配列に応じた順番に整列させて出力される。マルチプレクサーから出力されたアナログビデオ信号ＳＲ２，ＳＧ２，ＳＢ２は、レベルシフタからのサンプリング信号に応じてサンプルホールドバッファー内で順次サンプリングされ、内部のバッファーを介してドレインラインＤＬ１〜ＤＬｍにパラ出力される。
【０１５５】
ドレインラインＤＬ１〜ＤＬｍにそれぞれ供給された表示信号は、ゲートドライバ２０３による選択に従ってオンされているＴＦＴ２０２ａを介して画素容量２０２ｂに、１水平期間の間で書き込まれる。
【０１５６】
表示部１１０は、以上のような動作を繰り返すことによって、液晶パネル２０２の各画素の画素容量２０２ｂに表示信号を書き込んでいく。この表示信号に応じて液晶の配向状態が変化し、「暗」または「明」で各画素が表されている画像が液晶パネル２０２に表示される。
【０１５７】
上記の液晶表示装置のゲートドライバは、逆方向モードで画像データを変えることなく画像を上下に反転することができる。このため、表示部１１０に対しレンズユニット部１０２の向きを略１８０゜回転すると逆方向モードになり画像反転するように設定すれば、表示部１１０の画像がそれを視認する視認者にとって常に上下が逆さまにならないようにすることができる。
【０１５８】
上記シフトレジスタに用いられるＴＦＴはいずれもｎチャネルＭＯＳ型の電界効果トランジスタであったが、すべてｐチャネルＭＯＳ型の電界効果トランジスタとしてもよい。この場合、上記実施の形態の各信号のハイレベルとローレベルを互いに反転させる。
【０１５９】
【発明の効果】
以上説明したように、本発明によれば、信号レベルを減衰させることなく、出力信号をシフトしていくことが可能となる。また、継続使用によるトランジスタの閾値特性の変動に起因する誤動作を防ぐことができる。
【図面の簡単な説明】
【図１】本発明の第１の実施の形態にかかる撮像装置の構成を示すブロック図である。
【図２】撮像素子を構成するダブルゲートトランジスタの断面図である。
【図３】（ａ）〜（ｆ）は、撮像素子を構成するダブルゲートトランジスタの駆動原理を説明する模式図である。
【図４】本発明の第１の実施の形態にかかるトップゲートドライバ（またはボトムゲートドライバ）の全体構成を示す回路構成を示す図である。
【図５】図３のトップゲートドライバ（またはボトムゲートドライバ）の各段の回路構成を示す図である。
【図６】本発明の第１の実施の形態にかかるトップゲートドライバ（またはボトムゲートドライバ）の動作を示すタイミングチャートである。
【図７】（ａ）〜（ｉ）は、この実施の形態にかかる撮像装置の動作を説明する模式図である。
【図８】図４のトップゲートドライバ（またはボトムゲートドライバ）の各段の他の回路構成を示す図である。
【図９】図８のトップゲートドライバ（またはボトムゲートドライバ）の動作を示すタイミングチャートである。
【図１０】本発明の第２の実施の形態にかかるトップゲートドライバ（またはボトムゲートドライバ）の全体構成の回路構成を示すブロック図である。
【図１１】図１０のトップゲートドライバ（またはボトムゲートドライバ）の各段の回路構成を示す図である。
【図１２】本発明の第２の実施の形態にかかるトップゲートドライバ（またはボトムゲートドライバ）の順方向の動作を示すタイミングチャートである。
【図１３】本発明の第２の実施の形態にかかるトップゲートドライバ（またはボトムゲートドライバ）の逆方向の動作を示すタイミングチャートである。
【図１４】図１０のトップゲートドライバ（またはボトムゲートドライバ）の各段の他の回路構成を示す図である。
【図１５】図４のトップゲートドライバ（またはボトムゲートドライバ）の各段の他の回路構成を示す図である。
【図１６】図４のトップゲートドライバ（またはボトムゲートドライバ）の各段の他の回路構成を示す図である。
【図１７】図４のトップゲートドライバ（またはボトムゲートドライバ）の各段の他の回路構成を示す図である。
【図１８】図４のトップゲートドライバ（またはボトムゲートドライバ）の各段の他の回路構成を示す図である。
【図１９】図１０のトップゲートドライバ（またはボトムゲートドライバ）の各段の他の回路構成を示す図である。
【図２０】図１０のトップゲートドライバ（またはボトムゲートドライバ）の各段の他の回路構成を示す図である。
【図２１】図１０のトップゲートドライバ（またはボトムゲートドライバ）の各段の他の回路構成を示す図である。
【図２２】図１０のトップゲートドライバ（またはボトムゲートドライバ）の各段の他の回路構成を示す図である。
【図２３】液晶表示素子を備えたデジタルスチルカメラを示す斜視図である。
【図２４】図２３のデジタルスチルカメラの構成を示すブロック図である。
【図２５】図２４の表示部を示す回路図である。
【符号の説明】
１…撮像素子、２…トップゲートドライバ、３…ボトムゲートドライバ、４…ドレインドライバ、１０…ダブルゲートトランジスタ、２１〜２７…ＴＦＴ（基本構成）、３１、３２、３４、３５…ＴＦＴ（付加構成）、３３…抵抗素子（付加構成）、ＲＳ（１）〜ＲＳ（ｎ）…段、ＲＳ２（１）〜ＲＳ２（ｎ）…段、ＴＧＬ…トップゲートライン、ＢＧＬ…ボトムゲートライン、ＤＬ…ドレインライン、ＧＬ…グラウンドライン
【図１】
0003858136.tif 000002
【図２】
0003858136.tif 000003
【図３】
0003858136.tif 000004
【図４】
0003858136.tif 000005
【図５】
0003858136.tif 000006
【図６】
0003858136.tif 000007
【図７】
0003858136.tif 000008
【図８】
0003858136.tif 000009
【図９】
0003858136.tif 000010
【図１０】
0003858136.tif 000011
【図１１】
0003858136.tif 000012
【図１２】
0003858136.tif 000013
【図１３】
0003858136.tif 000014
【図１４】
0003858136.tif 000015
【図１５】
0003858136.tif 000016
【図１６】
0003858136.tif 000017
【図１７】
0003858136.tif 000018
【図１８】
0003858136.tif 000019
【図１９】
0003858136.tif 000020
【図２０】
0003858136.tif 000021
【図２１】
0003858136.tif 000022
【図２２】
0003858136.tif 000023
【図２３】
0003858136.tif 000024
【図２４】
0003858136.tif 000025
【図２５】
0003858136.tif 000026